(57)【要約】  【課題】個人情報の登録を行わずに発行される記録媒体についても、紛失時に記録媒体識別情報を特定し、遊技用装置における使用を発見して所有者に返却することができるような遊技用システムの提供。  【解決手段】カード検索画面に台番号と使用時刻を入力して（ＳＡ００）、検索ボタンを選択すると、使用履歴から対応する装置ＩＤを特定し（ＳＡ０１）、該装置ＩＤのテーブルの使用履歴のうち入力時刻直前の履歴が使用完了情報又は排出情報のいずれでもなければ該直前の履歴に含まれるカードＩＤを特定し（ＳＡ０４）、該特定したカードＩＤについて使用完了情報，精算完了情報が該入力時刻後に記憶されていないことを条件として、特定したカードＩＤが使用カードＤＢのカードＩＤと一致するか否かを判定し（ＳＡ０７）、一致するときには台番号を報知する。【選択図】        図８
2006296852.tif 000002
【特許請求の範囲】
【請求項１】
遊技機に対応して設けられ、
記録媒体を個々に識別可能な記録媒体識別情報と、遊技媒体の貸与に使用可能な有価価値の大きさを特定可能な情報とが記録された記録媒体を使用して、該記録媒体の記録情報から特定される有価価値の大きさの範囲内で遊技媒体を貸与するための貸与処理を行う貸与処理手段と、
前記記録媒体の使用が開始された使用開始時刻を特定可能な使用開始情報を外部に送信する使用開始情報送信手段と、
該記録媒体の使用が終了した使用終了時刻を特定可能な使用終了情報を外部に送信する使用終了情報送信手段と、を有する遊技用装置と、
前記使用開始情報送信手段から送信されてきた使用開始情報と前記使用終了情報送信手段から送信されてきた使用終了情報とに基づいて、前記記録媒体の記録媒体識別情報に対応付けて、該使用開始情報の送信元である遊技用装置を個々に識別可能な遊技用装置識別情報と、該使用開始情報から特定される使用開始時刻と、前記使用終了情報から特定される使用終了時刻とを少なくとも含む当該記録媒体の使用履歴を管理する使用履歴管理手段と、
各遊技用装置で使用中である記録媒体の記録媒体識別情報を管理する使用中記録媒体管理手段と、を有する管理装置と、
を備える遊技用システムであって、
前記管理装置は、
時刻と前記遊技用装置識別情報とを入力する入力手段と、
前記使用履歴管理手段で管理している各記録媒体の使用履歴のうち、前記入力手段に入力された時刻が前記使用開始時刻から使用終了時刻までの間に含まれ、かつ対応する遊技用装置識別情報が前記入力手段に入力された遊技用装置識別情報に一致する使用履歴に対応付けて管理している記録媒体識別情報を特定する記録媒体識別情報特定手段と、
前記使用中記録媒体管理手段の管理内容に基づいて、該記録媒体識別情報特定手段により特定された記録媒体識別情報の記録媒体が使用中である遊技用装置を特定する遊技用装置特定手段と、
該遊技用装置特定手段により特定された遊技用装置を報知する報知手段と、をさらに有することを特徴とする遊技用システム。
【請求項２】
請求項１に記載した遊技用システムであって、
前記管理装置は、前記遊技用装置特定手段により特定された遊技用装置に対して、前記記録媒体を返却する処理を不能動化する旨を指示する返却禁止情報を送信する返却禁止情報送信手段をさらに有し、
前記遊技用装置は、前記返却禁止情報送信手段から送信されてきた返却禁止情報を受信したことに基づいて、前記記録媒体を返却する処理を不能動化する返却禁止手段をさらに有することを特徴とする遊技用システム。
【請求項３】
請求項１又は２に記載した遊技用システムであって、
前記使用開始情報送信手段は、前記記録媒体識別情報を含む使用開始情報を送信し、
前記管理装置は、前記記録媒体識別情報特定手段により特定された記録媒体識別情報を記憶する記録媒体識別情報記憶手段と、
前記使用開始情報送信手段から使用開始情報が送信されてきたときに、該使用開始情報に含まれる記録媒体識別情報が前記記録媒体識別情報記憶手段に記憶されているか否かを判定する使用開始時判定手段と、をさらに有し、
前記報知手段は、該使用開始時判定手段により記憶されていると判定されたときに、前記使用開始情報の送信元である遊技用装置を報知することを特徴とする遊技用システム。
【請求項４】
請求項１〜３のいずれか１つに記載した遊技用システムであって、
前記管理装置は、前記入力手段に入力される時刻に対して付加する時間範囲を設定する時間範囲設定手段をさらに有し、
前記記録媒体識別情報特定手段は、前記使用履歴管理手段で管理している各記録媒体の使用履歴のうち、前記入力手段に入力された時刻に前記時間範囲設定手段により設定された時間範囲を付加した時刻の範囲の少なくとも一部が、前記管理している使用開始時刻から使用終了時刻までの間に含まれ、かつ対応する遊技用装置識別情報が前記入力手段に入力された遊技用装置識別情報に一致する使用履歴に対応付けて管理している記録媒体識別情報をすべて特定し、
前記管理装置は、該記録媒体識別情報特定手段により特定された記録媒体識別情報を、各記録媒体識別情報と対応付けて前記使用履歴管理手段で管理している使用履歴と共に表示する使用履歴表示手段をさらに有し、
前記遊技用装置特定手段は、該使用履歴表示手段により表示されている記録媒体識別情報から選択された記録媒体識別情報の記録媒体が使用中である遊技用装置を特定することを特徴とする遊技用システム。
【請求項５】
遊技機に対応して設けられ、
記録媒体を個々に識別可能な記録媒体識別情報と、遊技媒体の貸与に使用可能な有価価値の大きさを特定可能な情報とが記録された記録媒体を使用して、該記録媒体の記録情報から特定される有価価値の大きさの範囲内で遊技媒体を貸与するための貸与処理を行う貸与処理手段と、
前記記録媒体の使用が開始された使用開始時刻を特定可能な使用開始情報を外部に送信する使用開始情報送信手段と、
該記録媒体の使用が終了した使用終了時刻を特定可能な使用終了情報を外部に送信する使用終了情報送信手段と、を有する遊技用装置と、
前記使用開始情報送信手段から送信されてきた使用開始情報と前記使用終了情報送信手段から送信されてきた使用終了情報とに基づいて、前記記録媒体の記録媒体識別情報に対応付けて、該使用開始情報の送信元である遊技用装置を個々に識別可能な遊技用装置識別情報と、該使用開始情報から特定される使用開始時刻と、前記使用終了情報から特定される使用終了時刻とを少なくとも含む当該記録媒体の使用履歴を管理する使用履歴管理手段と、を有する管理装置と、
を備える遊技用システムであって、
前記管理装置は、
時刻と前記遊技用装置識別情報とを入力する入力手段と、
前記使用履歴管理手段で管理している各記録媒体の使用履歴のうち、前記入力手段に入力された時刻が前記使用開始時刻から使用終了時刻までの間に含まれ、かつ対応する遊技用装置識別情報が前記入力手段に入力された遊技用装置識別情報に一致する使用履歴に対応付けて管理している記録媒体識別情報を特定する記録媒体識別情報特定手段と、
該記録媒体識別情報特定手段により特定された記録媒体識別情報を前記遊技用装置に対して送信する記録媒体識別情報送信手段と、をさらに有し、
前記遊技用装置は、
該遊技用装置において使用中の記録媒体の記録媒体識別情報が前記記録媒体識別情報送信手段から送信されてきた記録媒体識別情報と一致するか否かを判定する判定手段と、
該判定手段により一致すると判定されたときに、当該遊技用装置の遊技用装置識別情報を前記管理装置に対して送信する遊技用装置識別情報送信手段と、をさらに有し、
前記管理装置は、前記遊技用装置識別情報送信手段から送信されてきた遊技用装置識別情報の遊技用装置を報知する報知手段をさらに有することを特徴とする遊技用システム。
【請求項６】
請求項５に記載した遊技用システムであって、
前記遊技用装置は、前記判定手段により一致すると判定されたときに、前記使用中の記録媒体を返却する処理を不能動化する返却禁止手段をさらに有することを特徴とする遊技用システム。
【請求項７】
請求項５又は６に記載した遊技用システムであって、
前記遊技用装置は、前記記録媒体識別情報送信手段から送信されてきた記録媒体識別情報を記憶する記録媒体識別情報記憶手段をさらに有し、
前記判定手段は、当該遊技用装置において新たに使用が開始された記録媒体の記録媒体識別情報が前記記録媒体識別情報記憶手段に記憶されているか否かを判定し、
前記遊技用装置識別情報送信手段は、該判定手段により前記記録媒体識別情報が記憶されていると判定されたときに、当該遊技用装置の遊技用装置識別情報を前記管理装置に対して送信することを特徴とする遊技用システム。
【請求項８】
請求項５〜７のいずれか１つに記載した遊技用システムであって、
前記管理装置は、前記入力手段に入力される時刻に対して付加する時間範囲を設定する時間範囲設定手段をさらに有し、
前記記録媒体識別情報特定手段は、前記使用履歴管理手段で管理している各記録媒体の使用履歴のうち、前記入力手段に入力された時刻に前記時間範囲設定手段により設定された時間範囲を付加した時刻の範囲の少なくとも一部が、前記管理している使用開始時刻から使用終了時刻までの間に含まれ、かつ対応する遊技用装置識別情報が前記入力手段に入力された遊技用装置識別情報に一致する使用履歴に対応付けて管理している記録媒体識別情報をすべて特定し、
前記管理装置は、該記録媒体識別情報特定手段により特定された記録媒体識別情報を、各記録媒体識別情報と対応付けて前記使用履歴管理手段で管理している使用履歴と共に表示する使用履歴表示手段をさらに有し、
前記記録媒体識別情報送信手段は、該使用履歴表示手段により表示されている記録媒体識別情報から選択された記録媒体識別情報を送信することを特徴とする遊技用システム。
【請求項９】
請求項１〜８のいずれか１つに記載した遊技用システムであって、
前記管理装置は、前記記録媒体識別情報特定手段により特定された記録媒体識別情報の記録媒体の使用を禁止するための処理を行う使用禁止処理手段をさらに有することを特徴とする遊技用システム。
【請求項１０】
請求項９に記載した遊技用システムであって、
前記管理装置は、前記使用禁止設定手段により使用を禁止するための処理を行った記録媒体の使用を再び可とするための処理を行う使用再開処理手段をさらに有することを特徴とする遊技用システム。
【発明の詳細な説明】
【技術分野】
【０００１】
本発明は、遊技機に対応して設けられ、記録媒体を個々に識別可能な記録媒体識別情報と、遊技媒体の貸与に使用可能な有価価値の大きさを特定可能な情報とが記録された記録媒体を使用して、該記録媒体の記録情報から特定される有価価値の大きさの範囲内で遊技媒体を貸与するための貸与処理を行う遊技用装置と、前記記録媒体の記録媒体識別情報に対応付けて、該記録媒体が使用された遊技用装置の遊技用装置識別情報と、該記録媒体の使用開始時刻と、該記録媒体の使用終了時刻とを含む使用履歴を管理する管理装置と、を備える遊技用システムに関する。
【背景技術】
【０００２】
従来より、例えば特許文献１に示すように、個人情報の登録を行うことにより発行されるカードを所有者が紛失したときに、個人情報を入力して紛失したカードのＩＤを特定し、該特定したＩＤのカードの使用を禁止すると共に、これに代わるカードの再発行処理を行う遊技用システムが提案されている。
【０００３】
【特許文献１】特開平１１−１７５８２３号公報（第２５頁，図２０）
【発明の開示】
【発明が解決しようとする課題】
【０００４】
上記特許文献１の遊技用システムのように、発行時に個人情報の登録を行うような記録媒体（例えば会員登録を行った会員遊技者に対して発行される会員カード）については、個人情報から該記録媒体の記録媒体識別情報（例えば会員ＩＤやカードＩＤ）を特定し、遊技用装置（例えばカードユニット）における使用を発見して所有者に返却することができる。一方、個人情報の登録を行わずに発行される記録媒体（例えば、カード発行装置に入金することで発行されるビジタカードや、カードユニットから発行され、入金額のうちの未使用の残額が記録された精算カード等）については、個人情報と対応付けて記録媒体識別情報が管理されていないため、紛失時に記録媒体識別情報を特定できず、所有者に返却することができないという問題がある。
【０００５】
本発明は、このような背景のもとになされたものであり、その目的は、個人情報の登録を行わずに発行される記録媒体についても、紛失時に記録媒体識別情報を特定し、遊技用装置における使用を発見して所有者に返却することができるような遊技用システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、記録媒体（一般カード５）を個々に識別可能な記録媒体識別情報（カードＩＤ）と、遊技媒体（パチンコ玉）の貸与に使用可能な有価価値の大きさ（カード残額，管理残額）を特定可能な情報（カード残額，カードＩＤ）とが記録された記録媒体を使用して、該記録媒体の記録情報から特定される有価価値の大きさの範囲内で遊技媒体を貸与するための貸与処理（カード玉貸処理）を行う貸与処理手段（ユニット制御部２２）と、前記記録媒体の使用が開始された使用開始時刻（入金時刻，挿入時刻）を特定可能な使用開始情報（入金要求，貸与許諾要求）を外部に送信する使用開始情報送信手段（システムコントローラ用通信部２９ａ）と、該記録媒体の使用が終了した使用終了時刻（使用完了時刻，排出時刻）を特定可能な使用終了情報（使用完了通知，排出通知）を外部に送信する使用終了情報送信手段（システムコントローラ用通信部２９ａ）と、を有する遊技用装置（カードユニット２０）と、前記使用開始情報送信手段から送信されてきた使用開始情報と前記使用終了情報送信手段から送信されてきた使用終了情報とに基づいて、前記記録媒体の記録媒体識別情報に対応付けて、該使用開始情報の送信元である遊技用装置を個々に識別可能な遊技用装置識別情報（台番号，装置ＩＤ）と、該使用開始情報から特定される使用開始時刻と、前記使用終了情報から特定される使用終了時刻とを少なくとも含む当該記録媒体の使用履歴を管理する使用履歴管理手段（使用履歴ＤＢ）と、各遊技用装置で使用中である記録媒体の記録媒体識別情報を管理する使用中記録媒体管理手段（使用カードＤＢ）と、を有する管理装置（システムコントローラ６０）と、を備える遊技用システム（１）であって、前記管理装置は、時刻と前記遊技用装置識別情報（台番号）とを入力する入力手段（ディスプレイ６４，入力装置６５）と、前記使用履歴管理手段で管理している各記録媒体の使用履歴のうち、前記入力手段に入力された時刻が前記使用開始時刻から使用終了時刻までの間に含まれ、かつ対応する遊技用装置識別情報（台番号，装置ＩＤ）が前記入力手段に入力された遊技用装置識別情報に一致する使用履歴に対応付けて管理している記録媒体識別情報を特定する記録媒体識別情報特定手段（制御部６２）と、前記使用中記録媒体管理手段の管理内容に基づいて、該記録媒体識別情報特定手段により特定された記録媒体識別情報の記録媒体が使用中である遊技用装置を特定する遊技用装置特定手段（制御部６２）と、該遊技用装置特定手段により特定された遊技用装置を報知する報知手段（ディスプレイ６４）と、をさらに有することを特徴とする遊技用システムである。
【０００８】
また請求項２に係る発明は、請求項１に記載した遊技用システム（１）であって、前記管理装置（システムコントローラ６０）は、前記遊技用装置特定手段（制御部６２）により特定された遊技用装置（カードユニット２０）に対して、前記記録媒体（一般カード５）を返却する処理を不能動化する旨を指示する返却禁止情報（使用禁止通知）を送信する返却禁止情報送信手段（ユニット用通信部６１ａ）をさらに有し、前記遊技用装置は、前記返却禁止情報送信手段から送信されてきた返却禁止情報を受信したことに基づいて、前記記録媒体を返却する処理を不能動化する返却禁止手段（ユニット制御部２２）をさらに有することを特徴とする遊技用システムである。
【０００９】
また請求項３に係る発明は、請求項１又は２に記載した遊技用システム（１）であって、前記使用開始情報送信手段（システムコントローラ用通信部２９ａ）は、前記記録媒体識別情報（カードＩＤ）を含む使用開始情報（貸与許諾要求）を送信し、前記管理装置（システムコンローラ６０）は、前記記録媒体識別情報特定手段（制御部６２）により特定された記録媒体識別情報（カードＩＤ）を記憶する記録媒体識別情報記憶手段（ハードディスク６３の紛失カードリスト）と、前記使用開始情報送信手段（システムコントローラ用通信部２９ａ）から使用開始情報（貸与許諾要求）が送信されてきたときに、該使用開始情報に含まれる記録媒体識別情報が前記記録媒体識別情報記憶手段に記憶されているか否かを判定する使用開始時判定手段（制御部６２）と、をさらに有し、前記報知手段（ディスプレイ６４）は、該使用開始時判定手段により記憶されていると判定されたときに、前記使用開始情報の送信元である遊技用装置（カードユニット２０）を報知することを特徴とする遊技用システムである。
【００１０】
また請求項４に係る発明は、請求項１〜３のいずれか１つに記載した遊技用システム（１）であって、前記管理装置（システムコントローラ６０）は、前記入力手段（ディスプレイ６４，入力装置６５）に入力される時刻に対して付加する時間範囲を設定する時間範囲設定手段（ディスプレイ６４，入力装置６５）をさらに有し、前記記録媒体識別情報特定手段（制御部６２）は、前記使用履歴管理手段（使用履歴ＤＢ）で管理している各記録媒体の使用履歴のうち、前記入力手段に入力された時刻に前記時間範囲設定手段により設定された時間範囲を付加した時刻の範囲の少なくとも一部が、前記管理している使用開始時刻（入金時刻，挿入時刻）から使用終了時刻（使用完了時刻，排出時刻）までの間に含まれ、かつ対応する遊技用装置識別情報（台番号，装置ＩＤ）が前記入力手段に入力された遊技用装置識別情報（台番号）に一致する使用履歴に対応付けて管理している記録媒体識別情報（カードＩＤ）をすべて特定し、前記管理装置は、該記録媒体識別情報特定手段により特定された記録媒体識別情報を、各記録媒体識別情報と対応付けて前記使用履歴管理手段で管理している使用履歴と共に表示する使用履歴表示手段（ディスプレイ６４）をさらに有し、前記遊技用装置特定手段は、該使用履歴表示手段により表示されている記録媒体識別情報から選択された記録媒体識別情報の記録媒体が使用中である遊技用装置（カードユニット２０）を特定することを特徴とする遊技用システムである。
【００１１】
また請求項５に係る発明は、遊技機（パチンコ機１０）に対応して設けられ、記録媒体（一般カード５）を個々に識別可能な記録媒体識別情報（カードＩＤ）と、遊技媒体（パチンコ玉）の貸与に使用可能な有価価値の大きさ（カード残額，管理残額）を特定可能な情報（カード残額，カードＩＤ）とが記録された記録媒体を使用して、該記録媒体の記録情報から特定される有価価値の大きさの範囲内で遊技媒体を貸与するための貸与処理（カード玉貸処理）を行う貸与処理手段（ユニット制御部２２’）と、前記記録媒体の使用が開始された使用開始時刻（入金時刻，挿入時刻）を特定可能な使用開始情報（入金要求，貸与許諾要求）を外部に送信する使用開始情報送信手段（システムコントローラ用通信部２９ａ’）と、該記録媒体の使用が終了した使用終了時刻（使用完了時刻，排出時刻）を特定可能な使用終了情報（使用完了通知，排出通知）を外部に送信する使用終了情報送信手段（システムコントローラ用通信部２９ａ’）と、を有する遊技用装置（カードユニット２０’）と、前記使用開始情報送信手段から送信されてきた使用開始情報と前記使用終了情報送信手段から送信されてきた使用終了情報とに基づいて、前記記録媒体の記録媒体識別情報に対応付けて、該使用開始情報の送信元である遊技用装置を個々に識別可能な遊技用装置識別情報（台番号，装置ＩＤ）と、該使用開始情報から特定される使用開始時刻と、前記使用終了情報から特定される使用終了時刻とを少なくとも含む当該記録媒体の使用履歴を管理する使用履歴管理手段（使用履歴ＤＢ）と、有する管理装置（システムコントローラ６０’）と、を備える遊技用システム（１’）であって、前記管理装置は、時刻と前記遊技用装置識別情報（台番号）とを入力する入力手段（ディスプレイ６４’，入力装置６５’）と、前記使用履歴管理手段で管理している各記録媒体の使用履歴のうち、前記入力手段に入力された時刻が前記使用開始時刻から使用終了時刻までの間に含まれ、かつ対応する遊技用装置識別情報（台番号，装置ＩＤ）が前記入力手段に入力された遊技用装置識別情報に一致する使用履歴に対応付けて管理している記録媒体識別情報を特定する記録媒体識別情報特定手段（制御部６２’）と、該記録媒体識別情報特定手段により特定された記録媒体識別情報を前記遊技用装置に対して送信する記録媒体識別情報送信手段（ユニット用通信部６１ａ’）と、をさらに有し、前記遊技用装置は、該遊技用装置において使用中の記録媒体の記録媒体識別情報が前記記録媒体識別情報送信手段から送信されてきた記録媒体識別情報と一致するか否かを判定する判定手段（ユニット制御部２２’）と、該判定手段により一致すると判定されたときに、当該遊技用装置の遊技用装置識別情報を前記管理装置に対して送信する遊技用装置識別情報送信手段（システムコントローラ用通信部２９ａ’）と、をさらに有し、前記管理装置は、前記遊技用装置識別情報送信手段から送信されてきた遊技用装置識別情報の遊技用装置を報知する報知手段（ディスプレイ６４’）をさらに有することを特徴とする遊技用システムである。
【００１２】
また請求項６に係る発明は、請求項５に記載した遊技用システム（１’）であって、前記遊技用装置（カードユニット２０’）は、前記判定手段（ユニット制御部２２’）により一致すると判定されたときに、前記使用中の記録媒体（一般カード５）を返却する処理を不能動化する返却禁止手段（ユニット制御部２２’）をさらに有することを特徴とする遊技用システムである。
【００１３】
また請求項７に係る発明は、請求項５又は６に記載した遊技用システム（１’）であって、前記遊技用装置（カードユニット２０’）は、前記記録媒体識別情報送信手段（ユニット用通信部６１ａ’）から送信されてきた記録媒体識別情報（カードＩＤ）を記憶する記録媒体識別情報記憶手段（ユニット制御部２２’の紛失カードリスト）をさらに有し、前記判定手段（ユニット制御部２２’）は、当該遊技用装置において新たに使用が開始された記録媒体（一般カード５）の記録媒体識別情報が前記記録媒体識別情報記憶手段に記憶されているか否かを判定し、前記遊技用装置識別情報送信手段（システムコントローラ用通信部２９ａ’）は、該判定手段により前記記録媒体識別情報が記憶されていると判定されたときに、当該遊技用装置の遊技用装置識別情報を前記管理装置（システムコントローラ６０’）に対して送信することを特徴とする遊技用システムである。
【００１４】
また請求項８に係る発明は、請求項５〜７のいずれか１つに記載した遊技用システム（１’）であって、前記管理装置（システムコントローラ６０’）は、前記入力手段（ディスプレイ６４’，入力装置６５’）に入力される時刻に対して付加する時間範囲を設定する時間範囲設定手段（ディスプレイ６４’，入力装置６５’）をさらに有し、前記記録媒体識別情報特定手段（制御部６２’）は、前記使用履歴管理手段（使用履歴ＤＢ）で管理している各記録媒体（一般カード５）の使用履歴のうち、前記入力手段に入力された時刻に前記時間範囲設定手段により設定された時間範囲を付加した時刻の範囲の少なくとも一部が、前記管理している使用開始時刻（入金時刻，挿入時刻）から使用終了時刻（使用完了時刻，排出時刻）までの間に含まれ、かつ対応する遊技用装置識別情報（台番号，装置ＩＤ）が前記入力手段に入力された遊技用装置識別情報（台番号）に一致する使用履歴に対応付けて管理している記録媒体識別情報（カードＩＤ）をすべて特定し、前記管理装置は、該記録媒体識別情報特定手段により特定された記録媒体識別情報を、各記録媒体識別情報と対応付けて前記使用履歴管理手段で管理している使用履歴と共に表示する使用履歴表示手段（ディスプレイ６４’）をさらに有し、前記記録媒体識別情報送信手段（ユニット用通信部６１ａ’）は、該使用履歴表示手段により表示されている記録媒体識別情報から選択された記録媒体識別情報を送信することを特徴とする遊技用システムである。
【００１５】
また請求項９に係る発明は、請求項１〜８のいずれか１つに記載した遊技用システム（１，１’）であって、前記管理装置（システムコントローラ６０，６０’）は、前記記録媒体識別情報特定手段（制御部６２，６２’）により特定された記録媒体識別情報（カードＩＤ）の記録媒体（一般カード５）の使用を禁止するための処理（使用禁止通知の送信，紛失カードリストへのカードＩＤの登録，カード特定通知の送信）を行う使用禁止処理手段（制御部６２，６２’）をさらに有することを特徴とする遊技用システムである。
【００１６】
さらに請求項１０に係る発明は、請求項９に記載した遊技用システム（１，１’）であって、前記管理装置（システムコントローラ６０，６０’）は、前記使用禁止設定手段（制御部６２，６２’）により使用を禁止するための処理を行った記録媒体（一般カード５）の使用を再び可とするための処理（紛失カードリストからのカードＩＤの消去，使用再開通知の送信）を行う使用再開処理手段（制御部６２，６２’）をさらに有することを特徴とする遊技用システムである。
【発明の効果】
【００１７】
まず請求項１に係る遊技用システムによれば、各記録媒体の使用履歴のうち、管理装置に入力された時刻が使用開始時刻から使用終了時刻までの間に含まれ、かつ対応する遊技用装置識別情報が入力された遊技用装置識別情報に一致する使用履歴に対応付けて管理している記録媒体識別情報を特定し、該特定された記録媒体識別情報の記録媒体が使用中である遊技用装置を特定して報知するので、個人情報の登録を行わずに発行される記録媒体についても、紛失時に記録媒体識別情報を特定し、遊技用装置における使用を発見して記録媒体を回収し、所有者に返却することができる。
【００１８】
また請求項２に係る遊技用システムによれば、特定された遊技用装置に対して、記録媒体を返却する処理を不能動化する旨を指示する返却禁止情報を送信し、遊技用装置は、返却禁止情報を受信したことに基づいて、記録媒体を返却する処理を不能動化するので、該記録媒体が持ち去られることを防止することができる。
【００１９】
また請求項３に係る遊技用システムによれば、管理装置は、記録媒体識別情報特定手段にて特定した記録媒体識別情報を記録媒体識別情報記憶手段に記憶しておき、遊技用装置から使用開始情報が送信されてきたときに、該使用開始情報に含まれる記録媒体識別情報が記録媒体識別情報記憶手段に記憶されているか否かを判定し、記憶されていると判定されたときに使用開始情報の送信元の遊技用装置を報知するので、記録媒体識別情報の特定時に遊技用装置で該記録媒体識別情報の記録媒体が使用されていない場合でも、その後に使用が開始されるときに該記録媒体の使用を発見して記録媒体を回収し、所有者に返却することができる。
【００２０】
また請求項４に係る遊技用システムによれば、各記録媒体の使用履歴のうち、入力された時刻に時間範囲を付加した時刻の範囲の少なくとも一部が、使用開始時刻から使用終了時刻までの間に含まれ、かつ対応する遊技用装置識別情報が入力された遊技用装置識別情報に一致する使用履歴に対応付けて管理している記録媒体識別情報をすべて特定して使用履歴と共に表示し、該表示されている記録媒体識別情報から選択された記録媒体識別情報の記録媒体が使用中である遊技用装置を特定するので、所有者が把握していた時刻と、管理装置側で管理している時刻との間にずれがある場合であっても、記録媒体識別情報を特定することができる。
【００２１】
また請求項５に係る遊技用システムによれば、各記録媒体の使用履歴のうち、管理装置に入力された時刻が使用開始時刻から使用終了時刻までの間に含まれ、かつ対応する遊技用装置識別情報が入力された遊技用装置識別情報に一致する使用履歴に対応付けて管理している記録媒体識別情報を特定して遊技用装置に送信し、遊技用装置において使用中の記録媒体の記録媒体識別情報が、送信されてきた記録媒体識別情報と一致するか否かを判定し、一致すると判定されたときに当該遊技用装置の遊技用装置識別情報を管理装置に対して送信し、管理装置が、送信されてきた遊技用装置識別情報の遊技用装置を報知するので、個人情報の登録を行わずに発行される記録媒体についても、紛失時に記録媒体識別情報を特定し、遊技用装置における使用を発見して記録媒体を回収し、所有者に返却することができる。
【００２２】
また請求項６に係る遊技用システムによれば、記録媒体識別情報が一致すると判定されたときに、使用中の記録媒体を返却する処理を不能動化するので、該記録媒体が持ち去られることを防止することができる。
【００２３】
また請求項７に係る遊技用システムによれば、遊技用装置は、管理装置から受信した記録媒体識別情報を記録媒体識別情報記憶手段に記憶しておき、新たに使用が開始された記録媒体の記録媒体識別情報が記録媒体識別情報記憶手段に記憶されているか否かを判定し、記憶されていると判定されたときに当該遊技用装置の遊技用装置識別情報を管理装置に対して送信するので、記録媒体識別情報の特定時に遊技用装置で該記録媒体識別情報の記録媒体が使用されていない場合でも、その後に使用が開始されるときに該記録媒体が使用される遊技用装置を把握して、回収することができる。
【００２４】
また請求項８に係る遊技用システムによれば、各記録媒体の使用履歴のうち、入力された時刻に時間範囲を付加した時刻の範囲の少なくとも一部が、使用開始時刻から使用終了時刻までの間に含まれ、かつ対応する遊技用装置識別情報が入力された遊技用装置識別情報に一致する使用履歴に対応付けて管理している記録媒体識別情報をすべて特定して使用履歴と共に表示し、該表示されている記録媒体識別情報から選択された記録媒体識別情報を遊技用装置に送信するので、所有者が把握していた時刻と、管理装置側で管理している時刻との間にずれがある場合であっても、記録媒体識別情報を特定することができる。
【００２５】
また請求項９に係る遊技用システムによれば、管理装置は、特定された記録媒体識別情報の記録媒体の使用を禁止するための処理を行うので、拾得者等が該記録媒体を使用することによって真の所有者の損害が拡大するのを防止することができる。
【００２６】
さらに請求項１０に係る遊技用システムによれば、管理装置は、使用を禁止するための処理を行った記録媒体の使用を再び可とするための処理を行うので、紛失した記録媒体が発見された場合に、再び該記録媒体の使用が可能となり、新たな記録媒体の発行コストを低減することができる。
【発明を実施するための最良の形態】
【００２７】
以下、本発明の実施の形態を、図面を参照して説明する。まず、本発明に係る遊技用システムの概要について説明する。
【００２８】
本発明の遊技用システム１，１’は、図１及び図２に示すように、遊技場に設けられ、遊技機（パチンコ機１０）に対応して設けられる遊技用装置であるカードユニット２０，２０’と、該遊技用装置と通信可能な管理装置であるシステムコントローラ６０，６０’を備えるものであり、本例では、精算装置８０，８０’も含むものである。この遊技用システム１，１’では、遊技に使用可能な有価価値の大きさを特定可能な情報（カード残額，カードＩＤ）及び当該記録媒体を個々に識別可能な記録媒体識別情報（カードＩＤ）が記録される記録媒体として、一般カード５が使用される。この一般カード５は、カードユニット２０，２０’のカードＲ／Ｗ２７部及びカードストッカ２８に収納されている。
【００２９】
カードユニット２０，２０’で貨幣が受け付けられて識別されると、入金額がカードＲ／Ｗ２７部の一般カード５のカード残額に加算され、玉貸ボタン１５の操作によって玉貸処理が行われ、該玉貸処理に応じてカード残額が減算更新される。そして、遊技者は、パチンコ機１０での遊技を終了するにあたり、カード返却ボタン１６を操作することで、未使用のカード残額が記録された一般カード５（「残額有りの一般カード５」と呼ぶ）が排出される。遊技者は排出された残額有りの一般カード５を、別のパチンコ機１０に対応するカードユニット２０，２０’に挿入し、上記と同様に玉貸ボタン１５の操作によって玉貸処理を受けることが可能である。つまり、台移動が可能である。
【００３０】
一方、システムコントローラ６０，６０’においては、使用履歴ＤＢによって、カードユニット２０，２０’を個々に識別可能な遊技用装置識別情報である装置ＩＤ，及び台番号毎に、当該カードユニット２０，２０’で使用された一般カード５の使用履歴（処理時刻，カードＩＤ，処理内容，取引額，管理残額）を管理している。遊技場の店員は、一般カード５を紛失した遊技者から、遊技を行っていたパチンコ機１０の台番号と、遊技を行っていた時刻（即ちカードの使用時刻）を得て、システムコントローラ６０，６０’のディスプレイ６４，６４’に表示されるカード検索画面に入力する。これにより、前記使用履歴ＤＢの記憶から、入力された台番号に対応する装置ＩＤが特定され、さらに該装置ＩＤと対応付けて記憶されているカードＩＤのうち、入力された時刻に対応する使用履歴のカードＩＤが、紛失カードのカードＩＤとして特定される。そして、該特定したカードＩＤのカードが使用されているカードユニット２０，２０’の台番号が、紛失カードが使用されている旨と共にディスプレイ６４，６４’によって報知される。従って、報知されている台番号から特定されるカードユニット２０，２０’から紛失カードを回収して、所有者に返却することができる。即ち個人情報の登録を伴わない一般カード５を遊技者が紛失したときにも、紛失カードのカードＩＤを特定して、その使用を発見し、回収して真の所有者に返却することができる。
【００３１】
本発明に係る遊技用システムは、上記の点を特徴とするものである。この遊技用システムには、管理装置（システムコントローラ６０）において前記紛失カードのカードＩＤを特定し、該紛失カードが使用されている遊技用装置（カードユニット２０）の装置ＩＤを特定して、対応する台番号を報知する第１実施形態に係る遊技用システム１と、管理装置（システムコントローラ６０’）において前記紛失カードのカードＩＤを特定し、該特定したカードＩＤを遊技用装置（カードユニット２０’）に送信し、遊技用装置において、受信したカードＩＤと、受け付けている一般カード５から読み取ったカードＩＤとが一致するか否かを判定して、一致すると判定したときに装置ＩＤを管理装置に送信し、管理装置が受信した装置ＩＤに対応する台番号を報知する第２実施形態に係る遊技用システム１’と、が含まれる。以下においては、まず第１実施形態に係る遊技用システム１について説明し、次に第２実施形態に係る遊技用システム１’について第１実施形態と異なる点についてのみ説明する。なお、以下においては、リーダ／ライタを「Ｒ／Ｗ」，データベースを「ＤＢ」，ステップを「Ｓ」と略記する。
【００３２】
［１．第１実施形態に係る遊技用システム１］
第１実施形態に係る遊技用システム１は、図１に示すように、遊技場において、パチンコ機１０に対応して設けられるカードユニット２０と、複数のカードユニット２０に接続されているシステムコントローラ６０を備え、該システムコントローラ６０と通信可能であり、一般カード５のカード残額を精算する精算装置８０を含む。また、システムコントローラ６０は、後述する一般カード５の発行及び管理を行うカード会社に設けられている管理サーバ９０とも通信可能である。ここで、図１及び図３には精算装置８０を１台しか図示していないが、精算装置８０は遊技場内に複数あっても良く、本例では３台とする。
【００３３】
図１及び図２に示す遊技用システム１において、カードユニット２０は、ハブ（ＨＵＢ）４０，中継器５０，及び通信ケーブルを介して、システムコントローラ６０と双方向のデータ通信可能に接続されており、各接続機器にはそれぞれローカルＩＰアドレスが付与されてローカルエリアネットワーク（ＬＡＮ）が形成されている。また、システムコントローラ６０と精算装置８０とは、個別の通信ケーブルを介して、比較的高速のデータ通信を実施可能に接続されている。また、前記システムコントローラ６０は、通信回線を介して、カード会社に設置された管理サーバ９０と双方向のデータ通信を実施できるように接続されていて、カード会社は、該管理サーバ９０にて、各遊技場の一般カード５による売上や、システムコントローラ６０及びカードユニット２０のエラー状況等を把握できるようになっている。本発明に係る遊技用システム１では、図１，図２及び図３に示すように、紙幣２，硬貨３，及び一般カード５が使用される。
【００３４】
以下では、まず図１〜図７を用いて第１実施形態に係る遊技用システム１の構成について説明する。
【００３５】
紙幣２は貨幣の一例であって、ここでは図３に示すように、1000円紙幣，2000円紙幣，5000円紙幣，及び10000円紙幣の４種類の紙幣である。また硬貨３も貨幣の一例であって、ここでは図３に示すように、100円硬貨，及び500円硬貨の２種類の硬貨である。
【００３６】
一般カード５は記録媒体の一例であって、記録媒体（一般カード５）を個々に識別可能な記録媒体識別情報（カードＩＤ）と、遊技媒体（パチンコ玉）の貸与に使用可能な有価価値の大きさ（カード残額，管理残額）を特定可能な情報（カード残額，カードＩＤ）とが記録されるものである。本例における一般カード５には、有価価値の大きさであるカード残額と、各一般カード５を個々に識別可能な記録媒体識別情報であるカードＩＤと、が記録されている。ここでカード残額は、それ自体が有価価値の大きさである。またカードＩＤは、後述するシステムコントローラ６０の残額ＤＢにおいて有価価値の大きさである管理残額と対応付けて管理されているので、遊技用システム１においては、カードＩＤから対応する管理残額を特定可能である。つまり、本例のカード残額，カードＩＤは、いずれも有価価値の大きさを特定するための情報である。そしてカードＩＤは、有価価値の大きさを特定するための情報であると共に、記録媒体識別情報でもある。
【００３７】
この一般カード５は、長方形状を呈するプラスチック製の薄板における所定の部位に、カード残額及びカードＩＤ等が記録される記録領域（図示外）が形成されてなるものであり、ここでは該記録領域として不揮発性のＥＥＰＲＯＭを備える非接触式の集積回路を搭載したＩＣカードである。この一般カード５は、予めカードＩＤが記録されている状態で遊技場に納入されて、後述するカードストッカ２８に収納され、カードユニット２０及び精算装置８０において使用される。以下では、この一般カード５を、単にカードとも呼ぶ。
【００３８】
パチンコ機１０は遊技機の一例であって、図１〜図３に示すように、カードユニット２０に対応して設けられ、遊技媒体であるパチンコ玉を遊技領域に打ち込むことにより遊技を行うものであり、ここでは対応するカードユニット２０との間でパチンコ玉の貸与に関する信号のやり取りが行われて玉貸処理（後述する使用額分の玉貸処理や入金額分の玉貸処理）が行われる、いわゆるＣＲ式のパチンコ機である。このパチンコ機１０は、遊技場内に配置された遊技島（図示外）において該パチンコ機１０の機種等に従って設置されている。
【００３９】
このパチンコ機１０は、図３（ａ）に示すように、その前面に遊技領域，上皿，下皿，及び発射ハンドル等を備えると共に、残度数表示器１４，玉貸ボタン１５，及びカード返却ボタン１６を備え、図２に示すように、その内部に遊技制御基板１１，払出制御基板１２，及び玉払出装置１３等を備えており、これらの各構成要素は図２に示すように接続されている。前記遊技領域には可変表示装置が設けられると共に、始動入賞口，大入賞口，及びその他の入賞口が設けられている。このパチンコ機１０は、予め割り当てられた台番号により個々に識別可能となっている。
【００４０】
遊技制御基板１１は、パチンコ機１０における遊技状態を制御するものである。払出制御基板１２は、カードユニット２０の玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されるパチンコ玉や、遊技の結果として遊技者に付与されるパチンコ玉（いわゆる賞球）を払い出すものである。
【００４１】
このパチンコ機１０においては、前記遊技領域に打ち込まれたパチンコ玉が始動入賞口に入賞すると、遊技領域に設けられた可変表示装置が変動を開始して所定時間の経過後に該変動が停止し、該可変表示装置の表示結果が予め定められた態様（例えば「０００」〜「９９９」のいずれかのゾロ目）になると、遊技者にとって有利な遊技状態である大当り状態（単に「大当り」とも呼ぶ）が発生するる。
【００４２】
また遊技領域に打ち込まれたパチンコ玉が、該遊技領域に設けられた始動入賞口，大入賞口，及びその他の入賞口に入賞すると、払出制御基板１２の制御により、予め定められた数のパチンコ玉が賞球として玉払出装置１３から払い出される。
【００４３】
残度数表示器１４は、カードＲ／Ｗ２７にて受け付けている一般カード５に記録されているカード残額に相当する残度数を表示するための表示器であり、本例では、図３に示すように３桁の７セグメント表示器によって構成されている。ここで残度数は、カード残額が所定の比率で変換されたもの（例えば１００円＝１度数）である。図２に示すように、残度数表示器１４に玉貸通信部２１ｂから残度数を示す度数表示信号が入力されることにより、残度数が表示される。
【００４４】
玉貸ボタン１５は、カードＲ／Ｗ２７にて受け付けている一般カード５に記録されているカード残額を使用するための玉貸操作を受け付けるボタンである。図２に示すように、玉貸ボタン１５が操作されたことにより、玉貸通信部２１ｂに貸出入力信号が入力され、該入力の検出によってユニット制御部２２が玉貸ボタン１５が操作された旨を認識する。
【００４５】
カード返却ボタン１６は、カードＲ／Ｗ２７にて受け付けている一般カード５を遊技用装置外部に排出するための排出操作を受け付けるものである。図２に示すように、カード返却ボタン１６が操作されたことにより、玉貸通信部２１ｂに返却入力信号が入力され、該入力の検出によってユニット制御部２２がカード返却ボタン１６が操作された旨を認識し、カードＲ／Ｗ制御部２９によりカードＲ／Ｗ２７にて受け付けているカード（残額有りの一般カード５）の排出処理が行われ、一般カード５がカード挿入口２７ａから排出されて抜取待ち状態となる。この抜取待ち状態とは、ここでは一般カード５の一端がカード挿入口２７ａから外部に突出した状態（つまり遊技者がカードを抜き取り可能な状態）を指す。
【００４６】
上記の残度数表示器１４，玉貸ボタン１５，及びカード返却ボタン１６は、図３に示すようにパチンコ機１０の前面（ここでは上皿）に設けられているが、図２に示すように、カードユニット２０と接続されているので、遊技用装置であるカードユニット２０に属するものでもある。
【００４７】
カードユニット２０は遊技用装置の一例であって、図２及び図３（ａ）に示すように、パチンコ機１０に対応して（ここではパチンコ機１０の左側に隣接して）設けられている。このカードユニット２０は、縦長の箱型の形状を呈するものであり、図３（ａ）に示すように、その前面に多機能ランプ２６，紙幣挿入口２３ａ，硬貨挿入口２４ａ，硬貨返却ボタン２４ｅ，硬貨返却口２４ｆ，及びカード挿入口２７ａ等を備え、図２及び図３（ｂ）に示すように、その内部に玉貸通信部２１ｂ，ユニット制御部２２，紙幣識別機２３，硬貨識別機２４，カードＲ／Ｗ２７，カードストッカ２８，カードＲ／Ｗ制御部２９，及びシステムコントローラ用通信部２９ａ等を備えており、これらの各構成要素は図２に示すように接続されている。なお、各カードユニット２０は、装置ＩＤによって個々に識別可能とされている。
【００４８】
玉貸通信部２１ｂは、前述の如くパチンコ機１０の払出制御基板１２と接続されている。図２に示すように、この玉貸通信部２１ｂには、払出制御基板１２からＥＸＳ信号，ＰＲＤＹ信号，前記貸出入力信号，及び前記返却入力信号が入力される。また、玉貸通信部２１ｂから払出制御基板１２に対して、ＢＲＤＹ信号，ＢＲＱ信号，及び前記度数表示信号が出力される。なお、ＥＸＳ信号，ＰＲＤＹ信号，ＢＲＤＹ信号，ＢＲＱ信号はパチンコ玉の払出を行う際の制御信号であり、各々ＥＸＳ，ＰＲＤＹ，ＢＲＤＹ，ＢＲＱとも呼ぶ。
【００４９】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して（あるいは各構成要素からの信号を受信して）各種の処理を行うものである。なおＲＯＭには、前記装置ＩＤが記憶されている。このユニット制御部２２には、図２に示すように、前記玉貸通信部２１ｂの他、後述する紙幣識別機２３，硬貨識別機２４，多機能ランプ２６，及びカードＲ／Ｗ制御部２９等が接続されている。
【００５０】
このユニット制御部２２は、貸与処理手段の一例であって、前記記録媒体（一般カード５）を使用して、該記録媒体の記録情報（カードＩＤ，カード残額）から特定される有価価値の大きさ（カード残額，管理残額）の範囲内で遊技媒体（パチンコ玉）を貸与するための貸与処理（カード玉貸処理）を行うものである。
【００５１】
具体的には、システムコントローラ６０から入金完了通知又は貸与許諾情報を受信したことによりカード玉貸可能状態となり、該状態で玉貸ボタン１５が操作されて貸出入力信号が入力されたときに、後述するカードＲ／Ｗ２７により受け付けている一般カード５に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。以下、記録媒体貸与処理手段による貸与処理を「カード玉貸処理」と呼ぶ。なお、カード玉貸処理の終了後には、今回のカード玉貸処理に使用された使用額（玉貸設定金額又はカード残額）が、一般カード５のカードＩＤと共にシステムコントローラ６０に送信される。
【００５２】
またユニット制御部２２は返却禁止手段の一例であって、後述する返却禁止情報送信手段（ユニット用通信部６１ａ）から送信されてきた返却禁止情報（使用禁止通知）を受信したことに基づいて、前記記録媒体（一般カード５）を返却する処理を不能動化するものである。具体的には、システムコントローラ６０から送信されてきた使用禁止通知をカードＲ／Ｗ制御部２９を介して受信したことに基づいて、カード返却ボタン１６の操作を検知したときにも、返却操作通知をカードＲ／Ｗ制御部２９に送らない状態となる。即ち該状態となることで返却操作が無効化され、カードを返却するための処理が不能動化される。この状態は所定のリセット操作（カードユニット２０のリセットボタンの操作やリモートコントローラからの指示等）によって解除される。なお、使用禁止通知を受信したことによりカード玉貸処理も禁止された状態となる。
【００５３】
紙幣識別機２３は貨幣受付手段の一例であって、貨幣を受け付けるものであり、ここでは図３（ｂ）に示すように、入金可能な状態で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。この識別により、受付けた紙幣が正規の紙幣２（1000円紙幣、2000円紙幣、5000円紙幣、10000円紙幣）であれば、識別結果（識別された紙幣２に応じた入金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、入金不可の状態である場合や、正規の紙幣ではないと識別した場合には、受け付けた紙幣２を紙幣挿入口２３ａから返却する。
【００５４】
硬貨識別機２４も貨幣受付手段の一例であって、貨幣を受け付けるものであり、ここでは図３（ｂ）に示すように、入金可能な状態で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。この識別により、受付けた硬貨が正規の硬貨３（100円硬貨、500円硬貨）であれば、識別結果（識別された硬貨３に応じた入金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、入金不可の状態である場合や、正規の硬貨ではないと識別した場合には、受け付けた硬貨３を硬貨通路２４ｄを通じて硬貨返却口２４ｆから返却する。
【００５５】
多機能ランプ２６は、カードユニット２０の状態を報知するものであり、３原色であるＲＧＢ光の各色の発光が可能なＬＥＤモジュールを内在しており、これらＲＧＢ光の発光を制御することで、発光色を可変できるようになっている。
【００５６】
カードＲ／Ｗ２７は記録媒体受付手段の一例であって、記録媒体（一般カード５）を受け付けるものである。具体的には、カード挿入口２７ａから前方挿入された一般カード５を受け付けたときに、該受け付けた一般カード５の記録情報（ここではカードＩＤ，カード残額）を読み取る。また、貨幣が受け付けられ、識別されたことに基づいて、当該カードＲ／Ｗ２７部の一般カード５に対して、現在のカード残額＋入金額を、新たなカード残額として記録する処理を行う。さらに、ユニット制御部２２でカード玉貸処理が実施され、ユニット制御部２２から使用額（本例では１度数の玉貸毎にカード残額を減算するようにしているため、ユニット制御部２２からカードＲ／Ｗ２９に通知される使用額は常に１度数相当額（１００円）である。）の通知を受けたことに基づいて、当該カードＲ／Ｗ２７部の一般カード５に対して、現在のカード残額−使用額を、新たなカード残額として記録する処理を行う。このカードＲ／Ｗ２７は、前記ＩＣカードである一般カード５に対応したＩＣカードＲ／Ｗを備えている。
【００５７】
このカードＲ／Ｗ２７付近には、カードの取込処理及び排出処理を行うための第１モータ（図示外）が設けられている。該第１モータが正方向に回転すると、カードを搬送するためのベルト（図示外）が正方向に回動して前方挿入カードの取込を行う取込処理が実施される。この取込処理により取り込まれたカードは、カードＲ／Ｗ２７にて受け付けられる。また、前記第１モータが逆方向に回転すると、前記ベルトが逆方向に回動してカードＲ／Ｗ２７部のカードの排出を行う排出処理が実施される。この排出処理によりカードが排出されて、抜取待ち状態となる。
【００５８】
カードストッカ２８は、記録媒体（一般カード５）を所定数（ここでは９枚）迄収納するものである。このカードストッカ２８はカードＲ／Ｗ２７の背面側に設けられ、カード残額が零の一般カード５を所定数（ここでは９枚）迄ストックするものであり、カードＲ／Ｗ２７と連接され、カードＲ／Ｗ２７から搬送されてきた一般カード５を収納するものである。つまり、カードユニット２０には、カードＲ／Ｗ２７に１枚，カードストッカ２８に９枚の、合計１０枚の一般カード５が収納される。
【００５９】
このカードストッカ２８付近には、カードの収納処理及び供給処理を行うための第２モータ（図示外）が設けられている。該第２モータが正方向に回転すると、カードを搬送するためのスライダ（図示外）により（又は該スライダと前記ベルトの連動により）、カードＲ／Ｗ２７部のカードをカードストッカ２８に収納する収納処理が実施される。また、前記第２モータが逆方向に回転すると、前記スタイダにより（又は該スライダと前記ベルトの連動により）カードストッカ２８に収納されているカード（ストックカード）の１枚をカードＲ／Ｗ２７部まで供給する供給処理が実施される。この供給処理により、カードがカードＲ／Ｗ２７に待機した状態となる。
【００６０】
カードＲ／Ｗ制御部２９は、ＣＰＵ，ＲＡＭ，ＥＥＰＲＯＭ等を備え、カードＲ／Ｗ２７が受け付けた一般カード５とのデータ送受を行う通信部や、カードＲ／Ｗ２７の制御を行うコントローラ等も備えている。このカードＲ／Ｗ制御部２９は、図２に示すように、ユニット制御部２２に接続されており、該ユニット制御部２２との各種データの送受が実施可能とされている。このカードＲ／Ｗ制御部２９には、上記第１モータ及び第２モータも接続される。また、カード挿入口２７ａ付近に設けられ、カードの前方挿入及びカードの抜き取りを検出するためのセンサ（図示外）とも接続されている。このカードＲ／Ｗ制御部２９は、カードＲ／Ｗ２７の一般カード５にカード残額が残存している状態では、カードの前方挿入を禁止し、カードＲ／Ｗ２７の一般カード５のカード残額が零の状態ではカードの前方挿入を可とする。
【００６１】
ここで、カードＲ／Ｗ制御部２９は、カードＲ／Ｗ２７部のカードを外部に排出する処理を行うものであり、カード返却ボタン１６の操作が検出されたときに、ユニット制御部２２から返却操作通知を受けて、カードＲ／Ｗ２７部のカードを排出する排出処理（即ち遊技者に対して残額有りの一般カード５を発行する処理）を行う。なお、返却操作が無効化されているときや、カード玉貸可能状態ではないとき（即ち残額有りの一般カード５がカードＲ／Ｗ２７部に存在しないとき）には、カード返却ボタン１６が操作されても、返却操作通知がユニット制御部２２からカードＲ／Ｗ制御部２９に対して送信されず、カードの排出が行われない。なお、カードＲ／Ｗ制御部２９は、前記抜き取り待ち状態にあるカードが抜き取られたときに、該抜き取りを検知して、カードストッカ２８のカードの１枚をカードＲ／Ｗ２７に供給する供給処理を行う。
【００６２】
またカードＲ／Ｗ制御部２９は、カード玉貸処理の結果、カード残額が零となった場合には、カードＲ／Ｗ２７部に一般カード５を留保しておく。つまり、カードの排出処理及び収納処理を行わずに一般カード５をカードＲ／Ｗ２７部に滞留させる。そして、カードが前方挿入されるときには、留保しているカードＲ／Ｗ２７部のカード（残額無しの一般カード５）をカードストッカ２８に収納する収納処理を行う。
【００６３】
カードＲ／Ｗ制御部２９は、システムコントローラ用通信部２９ａを備えている。このシステムコントローラ用通信部２９ａは、ハブ４０，中継器５０，及び通信ケーブルを介して、システムコントローラ６０のユニット用通信部６１ａに接続され、カードＲ／Ｗ制御部２９とシステムコントローラ６０とのデータ通信を実施可能とされている。このシステムコントローラ用通信部２９ａから情報を送信するにあたっては、カードＲ／Ｗ制御部２９が前記ユニット制御部２２から装置ＩＤを取得して、該取得した装置ＩＤも前記情報と共に送信する。
【００６４】
このシステムコントローラ用通信部２９ａは使用開始情報送信手段の一例であって、記録媒体の使用が開始された使用開始時刻（入金時刻，挿入時刻）を特定可能な使用開始情報（入金要求，貸与許諾要求）を外部に送信するものであり、ここでは記録媒体識別情報（カードＩＤ）を含む使用開始情報を送信する。具体的には、紙幣識別機２３，硬貨識別機２４により識別された入金額をユニット制御部２２を介して受信したカードＲ／Ｗ制御部２９が、使用開始情報として、該入金額及びカードＲ／Ｗ２７の一般カード５から読み取ったカードＩＤを含む入金要求を、当該カードユニット２０の装置ＩＤと共に、システムコントローラ用通信部２９ａからシステムコントローラ６０に対して送信する。また、カードＲ／Ｗ２７によって残額有りの一般カード５を外部から受け付けたときに、カードＲ／Ｗ制御部２９が、使用開始情報として、カードＲ／Ｗ２７の一般カード５から読み取ったカード残額及びカードＩＤを含む貸与許諾要求を、当該カードユニット２０の装置ＩＤと共に、システムコントローラ用通信部２９ａからシステムコントローラ６０に対して送信する。
【００６５】
つまり、入金額が一般カード５のカード残額として記録されることで該一般カード５の使用が開始され、一般カード５がカードユニット２０に挿入されることで該一般カード５の使用が開始されるので、使用開始時刻である入金時刻を特定するための入金要求と、使用開始時刻である挿入時刻を特定するための貸与許諾要求が、前記使用開始情報として送信される。
【００６６】
またシステムコントローラ用通信部２９ａは、カード玉貸処理における使用額を管理装置（システムコントローラ６０）に対して送信するものであり、カード玉貸処理が行われたときに、カードＲ／Ｗ制御部２９が、使用額（ここでは今回のカード玉貸処理に使用された金額，即ちユニット制御部２２から払出制御基板１２に指示した度数に相当する金額であり、例えば玉貸設定金額分の５００円）及びカードＲ／Ｗ２７の一般カード５から読み取ったカードＩＤを含む減算要求を、当該カードユニット２０の装置ＩＤと共に、システムコントローラ用通信部２９ａからシステムコントローラ６０に対して送信する。
【００６７】
またシステムコントローラ用通信部２９ａは使用終了情報送信手段の一例であって、記録媒体の使用が終了した使用終了時刻（使用完了時刻，排出時刻）を特定可能な使用終了情報（使用完了通知，排出通知）を外部に送信するものである。ここでは、カードＲ／Ｗ２７により受け付けている一般カード５のカード残額がカード玉貸処理の結果零となったときに、カードＲ／Ｗ制御部２９が、使用終了情報として、カード残額の使用が完了した（即ちカード残額が零となった）旨を示す使用完了通知を、当該カードユニット２０の装置ＩＤと共に、システムコントローラ用通信部２９ａからシステムコントローラ６０に対して送信する。また、カードＲ／Ｗ２７部にある残額有りの一般カード５がカード返却ボタン１６の操作によって排出されたときに、カードＲ／Ｗ制御部２９が、使用終了情報として、カードが排出された旨を示す排出通知を、当該カードユニット２０の装置ＩＤと共に、システムコントローラ用通信部２９ａからシステムコントローラ６０に対して送信する。
【００６８】
つまり、一般カード５のカード残額が零となることで該一般カード５の使用が終了し、一般カード５がカードユニット２０から排出されることで該一般カード５の使用が終了するので、使用終了時刻である使用完了時刻を特定するための使用完了通知と、使用終了時刻である排出時刻を特定するための排出通知が、前記使用終了情報として送信される。
【００６９】
次に、カード玉貸処理における制御状況を図４に基づき説明する。前記パチンコ機１０の払出制御基板１２は、前記カードユニット２０のユニット制御部２２（即ち玉貸通信部２１ｂ）と接続されて通信が可能な状態であるとスタンバイ状態となり、前記ＰＲＤＹをＬｏｗとする（Ｓ１）。
【００７０】
このようにＰＲＤＹがＬｏｗである状態において、ユニット制御部２２がパチンコ玉の払出を払出制御基板１２に指示するにあたり、ＢＲＤＹをＬｏｗとし（Ｓ２）、この状態において、更にＢＲＱをＬｏｗとする（Ｓ３）。
【００７１】
次いで、前記払出制御基板１２は、前記ＢＲＤＹのＬｏｗを検出した状態においてＢＲＱのＬｏｗを検出すると、パチンコ玉の払出が可能であるか確認し、可能である場合には、前記ＥＸＳをＬｏｗとする（Ｓ４）。
【００７２】
該ＥＸＳのＬｏｗを検出したユニット制御部２２は、前記ＢＲＱをＨｉｇｈとし（Ｓ５）、該ＢＲＱのＨｉｇｈを検出した払出制御基板１２は、玉払出装置１３に玉払出信号を出力し、これに基づき１度数に該当するパチンコ玉数（例えば消費税を考慮しないのであれば２５個、消費税を考慮するのであれば消費税率に応じて２４個，２３個…等の、具体的な玉数であり、予めシステムコントローラ６０等により設定され、カードユニット２０に配信されている）の払出が実施されるとともに、該払出の終了に基づき、前記ＥＸＳをＨｉｇｈとする（Ｓ６）。
【００７３】
該ＥＸＳのＨｉｇｈを検出したユニット制御部２２は、使用額（１度数に相当する金額であり、ここでは１００円）をカードＲ／Ｗ制御部２９に通知すると共に、前記残度数表示器１４に表示されている残度数から１度を減算して表示更新する。なお、カードＲ／Ｗ制御部２９では、現在のカード残額−使用額を、新たなカード残額としてカードＲ／Ｗ２７の一般カード５に記録する。
【００７４】
これら（Ｓ３）〜（Ｓ６）の信号制御並びに減算更新は、ユニット制御部２２から払出制御基板１２に対して指示される度数分繰返し実施され、これら制御が終了した後、ＢＲＤＹをＨｉｇｈとして（Ｓ７）、貸与処理を終了する。
【００７５】
このようにカードユニット２０のユニット制御部２２から出力されるＢＲＱのＨｉｇｈの検出回数に基づき、前記払出制御基板１２は指示された度数に該当する数量のパチンコ玉の払出を実施するようになっている。
【００７６】
なお、本実施例においては、前記Ｓ６が終了した段階で１度数分の金額をカード残額から減算するようにしているが、前記Ｓ３〜Ｓ６の処理をユニット制御部２２の指示度数分（例えば５度分の貸出であれば５回）繰返し実施した後、すなわち、貸出度数分のパチンコ玉が払い出された後、該貸し出された度数（例えば５度分の貸出であれば５度）分の金額を減算するようにしても良い。残度数の表示更新についても同様である。
【００７７】
パチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【００７８】
次に、システムコントローラ６０について説明する。システムコントローラ６０は管理装置の一例であって、遊技場内の所定箇所（例えば管理事務所等）に設けられるものであり、図２に示すように接続されるユニット用通信部６１ａ，場外通信部６１ｃ，精算装置用通信部６１ｄ，制御部６２，ハードディスク６３，ディスプレイ６４，及び入力装置６５等を備えている。
【００７９】
制御部６２は、ＣＰＵ，ＲＡＭ，ＲＯＭ等を備えており、ハードディスク６３に記憶されている処理プログラムがＲＡＭを作業領域としてＣＰＵで実行されることにより、システムコントローラ６０に備えられる各構成要素の動作を制御して各種の処理を行うものであり、例えば、カードユニット２０，精算装置８０から送信されてきたカード残額の照合や、各ＤＢの更新処理を行うものである。
【００８０】
ユニット用通信部６１ａは、前述の如くカードユニット２０のシステムコントローラ用通信部２９ａと通信可能に接続されており、システムコントローラ６０とカードユニット２０との間における通信を司るものである。
【００８１】
このユニット用通信部６１ａは返却禁止情報送信手段の一例であって、後述する遊技用装置特定手段（制御部６２）により特定された遊技用装置（カードユニット２０）に対して、前記記録媒体（一般カード５）を返却する処理を不能動化する旨を指示する返却禁止情報（使用禁止通知）を送信するものである。ここでは、図８のＳＡ１０や図９のＳＢ１０に示すように、特定された紛失カードのカードＩＤに対応付けて使用カードＤＢに記憶されている装置ＩＤのカードユニット２０に対して、使用禁止通知を送信することで、該カードユニット２０で玉貸処理が禁止されると共に、一般カード５の返却が禁止される。
【００８２】
またユニット用通信部６１ａは、入金処理が完了した旨を示す入金完了通知を入金要求の送信元であるカードユニット２０に対して返信するものである。ここでは、システムコントローラ６０が入金要求を受信したときに、制御部６２によって、受信した入金額が、受信したカードＩＤに対応付けて残額ＤＢで管理している管理残額に加算されたことに基づいて、入金完了通知を、該入金要求の送信元であるカードユニット２０に対して返信する。
【００８３】
またユニット用通信部６１ａは、カード玉貸処理を許諾する旨を示す貸与許諾情報を貸与許諾要求の送信元のカードユニット２０に対して返信するものである。ここでは、システムコントローラ６０が貸与許諾要求を受信したときに、制御部６２により、〔受信したカード残額≦受信したカードＩＤに対応付けて残額ＤＢで管理している管理残額〕と判定されたときに、貸与許諾情報を該貸与許諾要求の送信元であるカードユニット２０に対して返信する。なお、カードユニット２０とシステムコントローラ６０との間の通信状態がオフラインであるときに、カードユニット２０にてカード残額が使用されると、〔受信したカード残額＜受信したカードＩＤに対応付けて残額ＤＢで管理している管理残額〕となる場合があり、必ずしも、〔受信したカード残額＝受信したカードＩＤに対応付けて残額ＤＢで管理している管理残額〕とはならないので、上記の判定条件としている。ここで、制御部６２は、〔受信したカード残額＜受信したカードＩＤに対応付けて残額ＤＢで管理している管理残額〕であるときには、管理残額を、受信したカード残額に更新して、〔カード残額＝管理残額〕とする処理を行う。
【００８４】
場外通信部６１ｃは、通信回線を通じて遊技場外の通信機器とのデータ通信を可能とするためのデジタルサービスユニット（ＤＳＵ）等を備え、カード会社に設けられた管理サーバ９０と通信可能に接続されており、システムコントローラ６０と管理サーバ９０との間における通信を司るものである。
【００８５】
精算装置用通信部６１ｄは、精算装置８０の通信部８１と通信可能に接続されており、システムコントローラ６０と精算装置８０との間における通信を司るものである。
【００８６】
この精算装置用通信部６１ｄは、精算を許諾する旨を示す精算許諾情報を精算許諾要求の送信元である精算装置８０に対して返信するものである。ここでは、システムコントローラ６０が精算許諾要求を受信したときに、制御部６２により、〔受信したカード残額≦受信したカードＩＤに対応付けて残額ＤＢで管理されている管理残額〕と判定されたときに、精算許諾情報を該精算許諾要求の送信元である精算装置８０に対して返信する。なお、カードユニット２０とシステムコントローラ６０との間の通信状態がオフラインであるときに、カードユニット２０にてカード残額が使用されると、〔受信したカード残額＜受信したカードＩＤに対応付けて残額ＤＢで管理されている管理残額〕となる場合があり、必ずしも、受信したカード残額＝受信したカードＩＤに対応付けて残額ＤＢで管理されている管理残額〕とはならないので、上記の判定条件としている。ここで、制御部６２は、〔受信したカード残額＜受信したカードＩＤに対応付けて残額ＤＢで管理している管理残額〕であるときには、管理残額を、受信したカード残額に更新して、〔カード残額＝管理残額〕とする処理を行う。
【００８７】
なお、この精算装置用通信部６１ｄからは、図８のＳＡ１０や図９のＳＢ１０に示すように、特定された紛失カードのカードＩＤに対応付けて使用カードＤＢに記憶されている装置ＩＤの精算装置８０に対して、使用禁止通知を送信する。該使用禁止通知を受けた精算装置８０では、精算処理が禁止されて、カードはカードＲ／Ｗ８３に留保される。
【００８８】
記憶装置であるハードディスク６３は、図５（ａ）に示す残額ＤＢを記憶している。この残額ＤＢでは、各一般カード５の「カードＩＤ」に対応付けて、システムコントローラ６０で管理している有価価値の大きさである「管理残額」を管理している。従って、システムコントローラ６０では、カードユニット２０から、カード受付時にカード残額及びカードＩＤを受信することで、受信したカード残額と、管理している管理残額との照合を実施することができる。そして、照合がＮＧの場合にはカードの使用を許可しないことで、遊技場の損失を極力防止することができる。また、システムコントローラ６０では、精算装置８０から、カード受付時にカード残額及びカードＩＤを受信することで、受信したカード残額と、管理している管理残額との照合を実施することができる。そして、照合がＮＧの場合には精算を許可しないことで、遊技場の損失を極力防止することができる。
【００８９】
この残額ＤＢは以下のようにして更新される。まず、カードユニット２０から送信される入金要求を受信したときに（図１１のＳ１０５）、該入金要求に含まれるカード残額を、該入金要求に含まれるカードＩＤと対応付けて管理している管理残額に加算する（Ｓ１１０）。また、カードユニット２０から送信される減算要求を受信したときに（図１３のＳ３１１）、該減算要求に含まれる使用額を、該減算要求に含まれるカードＩＤに対応付けて管理している管理残額から減算する（Ｓ３２０）。さらに、精算装置８０から送信される精算完了通知を受信したときに（図１５のＳ５３５）、該精算完了通知に含まれるカードＩＤと対応付けて管理している管理残額を消去して零とする（Ｓ５４０）。
【００９０】
またハードディスク６３は、図５（ｂ）に示す使用履歴ＤＢを記憶している。この使用履歴ＤＢは使用履歴管理手段の一例であって、前記使用開始情報送信手段（システムコントローラ用通信部２９ａ）から送信されてきた使用開始情報（入金要求，貸与許諾要求）と前記使用終了情報送信手段（システムコントローラ用通信部２９ａ）から送信されてきた使用終了情報（使用完了通知，排出通知）とに基づいて、前記記録媒体（一般カード５）の記録媒体識別情報（カードＩＤ）に対応付けて、該使用開始情報の送信元である遊技用装置（カードユニット２０）を個々に識別可能な遊技用装置識別情報（装置ＩＤ）と、該使用開始情報から特定される使用開始時刻と、前記使用終了情報から特定される使用終了時刻とを少なくとも含む当該記録媒体の使用履歴を管理するものである。
【００９１】
この使用履歴ＤＢでは、各カードユニット２０の装置ＩＤ（及び各カードユニット２０に対応するパチンコ機１０の台番号）毎のテーブルが記憶されており、各テーブルでは、当該装置ＩＤのカードユニット２０における一般カード５の使用履歴を管理している。ここでは使用履歴として、各処理が行われる毎に、当該処理が行われた時刻（入金時刻，挿入時刻，玉貸時刻，使用完了時刻，又は排出時刻）である「処理時刻」と、当該処理の対象となった一般カード５の「カードＩＤ」と、当該処理の内容（入金，挿入，玉貸，使用完了，又は排出）を特定可能な「処理内容」と、当該処理によって取引された額（管理残額の増減額）である「取引額」と、当該処理後の管理残額である「管理残額」が管理されている。即ち、使用履歴ＤＢでは、カードユニット２０から受信した使用開始情報（入金要求，貸与許諾要求）と使用終了情報（使用完了通知，排出通知）とに基づいて、使用開始時刻（入金時刻，挿入時刻）と使用終了時刻（使用完了時刻，排出時刻）を管理しており、これらの使用履歴は、処理対象となった記録媒体（一般カード５）の記録媒体識別情報（カードＩＤ）に対応付けられ、かつ前記使用開始情報，使用終了情報の送信元である装置ＩＤのテーブルに記録されている。
【００９２】
なお、この使用履歴ＤＢでは、各精算装置８０の装置ＩＤ毎のテーブルが記憶されており、各テーブルでは、当該装置ＩＤの精算装置８０における一般カード５の使用履歴を管理している。ここでは使用履歴として、各処理が行われる毎に、当該処理が行われた時刻（精算開始時刻又は精算完了時刻）である「処理時刻」と、当該処理の対象となった一般カード５の「カードＩＤ」と、当該処理の内容（精算開始又は精算完了）を特定可能な「処理内容」と、当該処理によって取引された額（管理残額の増減額）である「取引額」と、当該処理後の管理残額である「管理残額」が管理されている。
【００９３】
この使用履歴ＤＢは以下のようにして更新される。まず、カードユニット２０から入金要求（図１１のＳ１０５）を受信したことに基づいて、受信した装置ＩＤのテーブルにおいて、該入金要求を受信した時刻である入金時刻を「処理時刻」の領域に記憶し、該入金要求に含まれるカードＩＤを「カードＩＤ」の領域に記憶し、入金要求を受信したことに基づいて入金情報（テーブル内の「入金」に相当）を「処理内容」の領域に記憶し、該入金要求に含まれる入金額を「取引額」の領域に記憶し、更新後（該入金額が加算された後）の管理残額を「管理残額」の領域に記憶する（Ｓ１１１）。また、カードユニット２０から貸与許諾要求（図１２のＳ２０５）を受信したことに基づいて、該貸与許諾要求に含まれるカードＩＤが紛失カードリストのカードＩＤと一致せず、かつ残額の照合がＯＫであるときに、受信した装置ＩＤのテーブルにおいて、該貸与許諾要求を受信した時刻である挿入時刻を「処理時刻」の領域に記憶し、該貸与許諾要求に含まれるカードＩＤを「カードＩＤ」の領域に記憶し、貸与許諾要求を受信したことに基づいて挿入情報（テーブル内の「挿入」に相当）を「処理内容」の領域に記憶し、該貸与許諾要求に含まれるカード残額（＝管理残額）を「管理残額」の領域に記憶する。
【００９４】
また、カードユニット２０から減算要求（図１３のＳ３１１）を受信したことに基づいて、受信した装置ＩＤのテーブルにおいて、該減算要求を受信した時刻である玉貸時刻を「処理時刻」の領域に記憶し、該減算要求に含まれるカードＩＤを「カードＩＤ」の領域に記憶し、減算要求を受信したことに基づいて玉貸情報（テーブル内の「玉貸」に相当）を「処理内容」の領域に記憶し、該減算要求に含まれる使用額を「取引額」の領域に記憶し、更新後（該使用額が減算された後）の管理残額を「管理残額」の領域に記憶する（Ｓ３２１）。また、カードユニット２０から使用完了通知（Ｓ３２８）を受信したことに基づいて、受信した装置ＩＤのテーブルにおいて、該使用完了通知を受信した時刻である使用完了時刻を「処理時刻」の領域に記憶し、管理している最新の（最も遅い時刻の）カードＩＤを「カードＩＤ」の領域に記憶し、使用完了通知を受信したことに基づいて使用完了情報（テーブル内の「使用完了」に相当）を「処理内容」の領域に記憶し、「管理残額」の領域に零を記憶する（Ｓ３３０）。また、カードユニット２０から排出通知（図１４のＳ４０６）を受信したことに基づいて、受信した装置ＩＤのテーブルにおいて、該排出通知を受信した時刻である排出時刻を「処理時刻」の領域に記憶し、管理している最新の（最も遅い時刻の）カードＩＤを「カードＩＤ」の領域に記憶し、排出通知を受信したことに基づいて排出情報（テーブル内の「排出」に相当）を「処理内容」の領域に記憶し、該カードＩＤと対応付けて残額ＤＢで管理している管理残額を「管理残額」の領域に記憶する（Ｓ４１０）。
【００９５】
また、精算装置８０から精算許諾要求（図１５のＳ５０２）を受信したことに基づいて、該精算許諾要求に含まれるカードＩＤが紛失カードリストのカードＩＤと一致せず、かつ残額の照合がＯＫであるときに、受信した装置ＩＤのテーブルにおいて、該精算許諾要求を受信した時刻である精算開始時刻を「処理時刻」の領域に記憶し、該精算許諾要求に含まれるカードＩＤを「カードＩＤ」の領域に記憶し、精算許諾要求を受信したことに基づいて精算開始情報（テーブル内の「精算開始」に相当）を「処理内容」の領域に記憶し、該精算許諾要求に含まれるカード残額（＝管理残額）を「管理残額」の領域に記憶する（Ｓ５３１）。さらに、精算装置８０から精算完了通知（Ｓ５３５）を受信したことに基づいて、受信した装置ＩＤのテーブルにおいて、該精算完了通知を受信した時刻である精算完了時刻を「処理時刻」の領域に記憶し、管理している最新の（最も遅い時刻の）カードＩＤを「カードＩＤ」の領域に記憶し、精算完了通知を受信したことに基づいて精算完了情報（テーブル内の「精算完了」に相当）を「処理内容」の領域に記憶し、精算額（＝減算更新前の管理残額）を「取引額」の領域に記憶し、更新後（該精算額が減算された後）の管理残額（即ち零となる）を「管理残額」の領域に記憶する（Ｓ５４１）。
【００９６】
またハードディスク６３は、図６（ａ）に示す使用カードＤＢを記憶している。この使用カードＤＢは、各パチンコ機１０の台番号と、各台番号に対応する各カードユニット２０の装置ＩＤが１対１に対応付けて管理されている。従って、装置ＩＤからパチンコ機１０の台番号を特定可能である。このため、台番号も各カードユニット２０を個々に識別可能な装置識別情報となる。この使用カードＤＢは使用中記録媒体管理手段の一例であって、各遊技用装置で使用中である記録媒体の記録媒体識別情報を管理するものである。ここでは、各台番号及び各装置ＩＤと対応付けて、当該カードユニット２０で使用中の一般カード５のカードＩＤが管理されている。
【００９７】
具体的には、前記使用履歴ＤＢにおける各装置ＩＤ毎のテーブルにおいて、入金情報が記憶されたときに、当該装置ＩＤ，及び該入金情報と対応付けて記憶されたカードＩＤを特定して、使用カードＤＢにおいて、特定した装置ＩＤに対応付けて、特定したカードＩＤを管理する。同様に、挿入情報が記憶されたときに、当該装置ＩＤ，及び該挿入情報と対応付けて記憶されたカードＩＤを特定して、使用カードＤＢにおいて、特定した装置ＩＤに対応付けて、特定したカードＩＤを管理する。そして、使用完了情報が記憶されたときに、当該装置ＩＤを特定して、使用カードＤＢにおいて、特定した装置ＩＤに対応するカードＩＤを消去する。また、排出情報が記憶されたときに、当該装置ＩＤを特定して、使用カードＤＢにおいて、特定した装置ＩＤに対応するカードＩＤを消去する。つまり、前記使用履歴ＤＢに使用開始時刻は記憶されているが、使用終了時刻が記憶されていないカードＩＤが管理される。即ち使用中の一般カード５のカードＩＤが管理されることとなる。
【００９８】
また前記使用履歴ＤＢには、各精算装置８０の装置ＩＤと対応付けて、当該精算装置８０で使用中の一般カード５のカードＩＤが管理されている。具体的には、前記使用履歴ＤＢにおける各装置ＩＤ（ここでは精算装置８０の装置ＩＤ）毎のテーブルにおいて、精算開始情報が記憶されたときに、当該装置ＩＤ，及び該精算開始情報と対応付けて記憶されたカードＩＤを特定して、使用カードＤＢにおいて、特定した装置ＩＤに対応付けて、特定したカードＩＤを管理する。そして、精算完了情報が記憶されたときに、当該装置ＩＤを特定して、使用カードＤＢにおいて、特定した装置ＩＤに対応するカードＩＤを消去する。これにより、精算装置８０で使用中のカードのカードＩＤが管理されることとなる。
【００９９】
またハードディスク６３は、図６（ｂ）に示す紛失カードリストを記憶している。この紛失カードリストは記録媒体識別情報記憶手段の一例であって、後述する記録媒体識別情報特定手段（制御部６２）により特定された記録媒体識別情報（カードＩＤ）を記憶するものである。この紛失カードリストには、システムコントローラ６０において、後述するカード検索画面に入力された時刻と台番号に基づいて特定されたカードＩＤのうち、特定時に使用中ではなかったカードのカードＩＤが登録されている。具体的には、記録媒体識別情報特定手段（制御部６２）によりカードＩＤが特定されたとき、該カードＩＤが使用カードＤＢで管理されているカードＩＤのいずれにも一致しなかった場合に、紛失カードリストに登録されることとなる。そして、後述するカード使用再開画面に、使用を再開するカードのカードＩＤが入力されることで、紛失カードリストから、該入力されたカードＩＤが消去される。
【０１００】
ディスプレイ６４は、各種の情報を表示するための表示デバイスであり、例えば液晶ディスプレイである。入力装置６５はシステムコントローラ６０に各種の情報を入力するためのデバイスであり、例えばキーボードやマウスである。
【０１０１】
このディスプレイ６４及び入力装置６５は入力手段の一例であって、時刻と遊技用装置識別情報（台番号）とを入力するものである。具体的には、後述する図８に示すように、ディスプレイ６４に表示されるカード検索画面に、「台番号…番台」の表示に対応する入力欄が表示され、「使用時刻」の表示に対応する入力欄が表示されるようになっている。このカード検索画面は、制御部６２によってカード検索プログラムが実行されることで表示される。システムコントローラ６０を操作する遊技場の店員は、カードを紛失した遊技者から、遊技を行っていたパチンコ機１０の台番号を得て、該台番号を、カード検索画面の「台番号」に対応する入力欄に入力し、該パチンコ機１０で遊技を行っていた時刻を得て、該時刻を「使用時刻」に対応する入力欄に入力する。そして、画面下の「検索」ボタンを選択することで、入力された台番号，入力された時刻に基づいて、後述する記録媒体識別情報特定手段（制御部６２）により記録媒体識別情報（カードＩＤ）の特定が行われる。
【０１０２】
ここでディスプレイ６４及び入力装置６５は時間範囲設定手段の一例であって、前記入力手段（ディスプレイ６４，入力装置６５）に入力される時刻に対して付加する時間範囲を設定するものである。具体的には、カード検索画面の「使用時刻」の表示及び入力欄の下に「前後…分を検索」という表示に対応する入力欄が設けられている。この入力欄は、前記「使用時刻」として入力された時刻に対して付加する時間範囲を入力するための欄であり、例えば前記時刻に対して前後３０分の時間範囲を設定するときには、当該欄に３０を入力する。そして、「検索」ボタンを選択することで、入力された時間範囲が制御部６２のＲＡＭに記憶されることで設定され、入力された台番号，入力された時刻，及び設定された時間範囲に基づいて、後述する記録媒体識別情報特定手段（制御部６２）により記録媒体識別情報（カードＩＤ）の特定が行われる。
【０１０３】
次に前記制御部６２は記録媒体識別情報特定手段の一例であって、前記使用履歴管理手段（使用履歴ＤＢ）で管理している記録媒体（一般カード５）の使用履歴のうち、前記入力手段（ディスプレイ６４，入力装置６５）に入力された時刻が前記使用開始時刻（入金時刻，挿入時刻）から使用終了時刻（使用完了時刻，排出時刻）までの間に含まれ、かつ対応する遊技用装置識別情報（装置ＩＤ）が前記入力手段に入力された遊技用装置識別情報（台番号）に一致する使用履歴に対応付けて管理している記録媒体識別情報（カードＩＤ）を特定するものである。
【０１０４】
具体的には、図８のＳＡ００に示すカード検索画面に入力された台番号に対応する装置ＩＤを使用履歴ＤＢから特定し（ＳＡ０１）、時間範囲の設定が行われていなければ（即ち未入力であれば）、該特定した装置ＩＤのテーブルを参照して、入力された時刻の直前の履歴が使用完了情報又は排出情報であるか否かを判定し（ＳＡ０３）、該ＳＡ０３で使用完了情報又は排出情報のいずれかであると判定された場合には（Ｙ）、入力された時刻に当該遊技用装置で使用中のカードが存在しない旨が報知される（ＳＡ２０）。一方、ＳＡ０３で、使用完了情報，排出情報のいずれでもないと判定されたときには（つまり入金情報，挿入情報，又は玉貸情報のいずれかであると判定されたときには）、同画面に入力された時刻の直前の履歴に対応するカードＩＤ又は該入力された時刻の直後の履歴に対応するカードＩＤを特定する（ＳＡ０４）。つまり紛失カードのカードＩＤが特定される。このように、入力された時刻の直前の履歴が入金情報，挿入情報，又は玉貸情報であるときには、該入力された時刻以降に使用完了情報又は排出情報が記憶されており、該入力された時刻が、使用開始時刻から使用終了時刻の間に含まれるため、該時刻に使用されていたカードのカードＩＤが特定される。なお、入力された時刻の直前に履歴がない場合（当日にカードが未使用である場合）には、前記ＳＡ２０の処理が行われる。
【０１０５】
また前記制御部６２は遊技用装置特定手段の一例であって、前記使用中記録媒体管理手段（使用履歴ＤＢ）の管理内容に基づいて、該記録媒体識別情報特定手段（制御部６２）により特定された記録媒体識別情報（カードＩＤ）の記録媒体（一般カード５）が使用中である遊技用装置（カードユニット２０）を特定するものである。具体的には、後述するＳＡ０５，ＳＡ０６の処理の後、ＳＡ０４で特定されたカードＩＤが、使用カードＤＢに記憶されているか否かを判定し（ＳＡ０７）、記憶されている場合には、該カードＩＤと対応付けて管理されている装置ＩＤ及び台番号を特定する（ＳＡ０８）。
【０１０６】
ここで前記ディスプレイ６４は報知手段の一例であって、遊技用装置特定手段（制御部６２）により特定された遊技用装置（カードユニット２０）を報知するものであり、ここでは特定されたカードユニット２０の装置ＩＤに対応する台番号を表示することにより、紛失カードが使用されているカードユニット２０を報知するものである。例えば図８のＳＡ０９，図９のＳＢ０９に示すように、特定されたカードユニット２０の装置ＩＤに対応する台番号を、記録媒体識別情報特定手段により特定されたカードＩＤと共に表示する（例：台番号0200でC-111111を使用中です）。なお、特定された装置ＩＤが後述する精算装置８０の装置ＩＤであるときには、該装置ＩＤを、特定されたカードＩＤと共に表示する（例：精算装置S02でC-111111を使用中です）。なお、管理装置（システムコントローラ６０）では、前記使用履歴ＤＢや使用カードＤＢにおいて、各遊技用装置の装置ＩＤと当該遊技用装置に対応する遊技機の台番号とを対応付けて管理しているので、特定した装置ＩＤに対応する台番号をディスプレイ６４に表示する処理は、該特定した装置ＩＤの遊技用装置を報知する処理に相当する。
【０１０７】
次に、前記記録媒体識別情報特定手段として機能する制御部６２は、前記使用履歴管理手段（使用履歴ＤＢ）で管理している各記録媒体の使用履歴のうち、前記入力手段に入力された時刻に前記時間範囲設定手段（ディスプレイ６４，入力装置６５）により設定された時間範囲を付加した時刻の範囲の少なくとも一部が、前記管理している使用開始時刻（入金時刻，挿入時刻）から使用終了時刻（使用完了時刻，排出時刻）までの間に含まれ、かつ対応する遊技用装置識別情報（装置ＩＤ）が前記入力手段に入力された遊技用装置識別情報（台番号）に一致する使用履歴に対応付けて管理している記録媒体識別情報（カードＩＤ）をすべて特定するものである。
【０１０８】
具体的には、図８のＳＡ００に示すカード検索画面に入力された台番号に対応する装置ＩＤを使用履歴ＤＢから特定した（ＳＡ０１）後に、時間範囲の設定が行われていれば（即ち入力されていれば）、該特定した装置ＩＤのテーブルを参照して、同画面に入力された時刻に対して入力された時間範囲を付加した時間内の使用履歴を全て特定し（ＳＢ０１）、該特定した使用履歴に含まれるカードＩＤを全て特定する（ＳＢ０２）。例えば入力された時刻が１３：００であり、入力された時間範囲が３０であれば、１３：００を含む前後３０分，即ち１２：３０〜１３：３０を時間範囲として、該時間範囲内の「処理時刻」に対応付けて記憶されている使用履歴を全て特定し、該特定した使用履歴に含まれるカードＩＤを全て特定する。
【０１０９】
ここで前記ディスプレイ６４は使用履歴表示手段の一例であって、前記記録媒体識別情報特定手段（制御部６２）により特定された記録媒体識別情報（カードＩＤ）を、各記録媒体識別情報と対応付けて前記使用履歴管理手段（使用履歴ＤＢ）で管理している使用履歴と共に表示するものである。具体的には、図９のＳＢ０３に示すように、特定された時間範囲内の使用履歴（カードＩＤが含まれる）を全て表示する。また、該使用履歴に含まれるカードＩＤ（即ち前記記録媒体識別情報特定手段により特定された全てのカードＩＤ）各々に対応する検索ボタンが、ＳＢ０３に示す画面右側に表示され、該検索ボタンを選択することによって、該カードＩＤの一般カード５について後述するＳＢ０５以下の処理が行われる。
【０１１０】
そして前記遊技用装置特定手段として機能する制御部６２は、上記使用履歴表示手段（ディスプレイ６４）により表示されている記録媒体識別情報（カードＩＤ）から選択された記録媒体識別情報の記録媒体（一般カード５）が使用中である遊技用装置（カードユニット２０）を特定するものである。具体的には、上記のように記録媒体識別情報特定手段により特定された各カードＩＤに対応する検索ボタンのいずれかが選択されたときに、後述するＳＢ０５，ＳＢ０６の処理の後、選択されたボタンに対応するカードＩＤが、使用カードＤＢに記憶されているか否かを判定し（ＳＢ０７）、記憶されている場合には、該カードＩＤと対応付けて管理されている装置ＩＤ及び台番号を特定する（ＳＢ０８）。
【０１１１】
また前記制御部６２は使用開始時判定手段の一例であって、前記使用開始情報送信手段（システムコントローラ用通信部２９ａ）から使用開始情報（貸与許諾要求）が送信されてきたときに、該使用開始情報に含まれる記録媒体識別情報（カードＩＤ）が前記記録媒体識別情報記憶手段（紛失カードリスト）に記憶されているか否かを判定するものである。具体的には、カードユニット２０から貸与許諾要求を受信したときに、該貸与許諾要求に含まれるカードＩＤが、紛失カードリストに記憶されているか否かを判定する。なお、精算装置８０から精算許諾要求を受信したときにも、該精算許諾要求に含まれるカードＩＤが紛失カードリストに記憶されているか否かを判定するようにしている。
【０１１２】
ここで前記報知手段として機能するディスプレイ６４は、使用開始時判定手段（制御部６２）により、使用開始情報（貸与許諾要求）に含まれる記録媒体識別情報（カードＩＤ）が、記録媒体識別情報記憶手段（紛失カードリスト）に記憶されていると判定されたときに、前記使用開始情報の送信元である遊技用装置（カードユニット２０）を報知するものである。具体的には、カードユニット２０から貸与許諾要求を受信して、該貸与許諾要求に含まれるカードＩＤが、紛失カードリストに記憶されていると判定されたときに、受信した装置ＩＤに対応する台番号を、紛失カードが使用されている旨と共に表示する（例：台番号0100で紛失カード使用中）。なお、精算装置８０から精算許諾要求を受信したときにも、該精算許諾要求に含まれるカードＩＤが、紛失カードリストに記憶されていると判定されたときに、受信した装置ＩＤを、紛失カードが使用されている旨と共に表示する（例：精算装置S01で紛失カード使用中）。
【０１１３】
また前記制御部６２は使用禁止処理手段の一例であって、前記記録媒体識別情報特定手段（制御部６２）により特定された記録媒体識別情報（カードＩＤ）の記録媒体（一般カード５）の使用を禁止するための処理（使用禁止通知の送信，紛失カードリストへの登録処理）を行うものであり、ここでは前述したように、記録媒体識別情報特定手段により特定されたカードＩＤが、使用カードＤＢに記憶されていれば、使用禁止通知を該カードＩＤと対応付けて管理されている装置ＩＤのカードユニット２０又は精算装置８０に対してユニット用通信部６１ａ又は精算装置用通信部６１ｄから送信する。使用禁止通知を受信したカードユニット２０ではカード玉貸処理が禁止されると共に返却操作が無効化される。また、使用禁止通知を受信した精算装置８０では精算処理が禁止されると共にカードがカードＲ／Ｗ８３に留保される。また、特定されたカードＩＤが使用カードＤＢに記憶されていなければ（つまり当該カードＩＤのカードが使用中でなければ）、該カードＩＤを紛失カードリストに登録する処理を行う。これによって、貸与許諾要求を受信しても貸与許諾情報を返信せずに使用禁止通知が返信され、精算許諾要求を受信しても精算許諾情報を返信せずに使用禁止通知が返信されるので、前記特定されたカードＩＤの一般カード５は、カードユニット２０，精算装置８０で使用禁止となる。
【０１１４】
さらに前記制御部６２は使用再開処理手段の一例であって、前記使用禁止設定手段（制御部６２）により使用を禁止するための処理を行った記録媒体（一般カード５）の使用を再び可とするための処理（紛失カードリストからの消去）を行うものである。具体的には、図１０のＳＣ００に示すカード使用再開画面に、使用を可とする一般カード５のカードＩＤが入力された状態で、画面下の「再開」ボタンが選択されると、該入力されたカードＩＤが、紛失カードリストのカードＩＤの中から特定され、消去されることになる。これにより、貸与許諾要求を受信したときに貸与許諾情報を返信し、精算許諾要求を受信したときに精算許諾情報が送信されるようになるので、使用が禁止された一般カード５が、カードユニット２０，精算装置８０で再び使用可となる。
【０１１５】
次に精算装置８０について説明する。この精算装置８０は、遊技場内の所定箇所（例えば遊技島の端部や景品交換カウンタの近傍等）に設けられ、図７（ａ）に示すように、キオスク端末型の形状を呈するものであり、その前面にカード挿入口８３ａ，紙幣払出口８５ａ，硬貨払出口８６ａ，及びディスプレイ８４等を備え、図２に示すように、その内部に通信部８１，制御部８２，カードＲ／Ｗ８３，紙幣払出機８５，及び硬貨払出機８６等を備えており、これらの各構成要素は図２に示すように接続されている。また、この精算装置８０は装置ＩＤ（Ｓ０１，Ｓ０２，Ｓ０３）によって個々に識別可能である。なお、装置ＩＤの先頭のコード（精算装置８０であればＳ，カードユニット２０であればＣＵ）によって、当該装置ＩＤがカードユニット２０の装置ＩＤであるか、又は精算装置８０の装置ＩＤであるかを識別可能である。
【０１１６】
通信部８１は、システムコントローラ６０の精算装置用通信部６１ｄと通信可能に接続されており、精算装置８０とシステムコントローラ６０との間における通信を司るものである。この通信部８１は、カードＲ／Ｗ８３が一般カード５を受け付けたときに、該一般カード５から読み取られたカードＩＤとカード残額とを含む精算許諾要求を、装置ＩＤと共にシステムコントローラ６０に対して送信する。また、カード残額相当の貨幣の払い出しが完了したときに、精算完了通知を、装置ＩＤと共にシステムコントローラ６０に対して送信する。
【０１１７】
制御部８２は、ＣＰＵ，ＲＡＭ，ＲＯＭ，ＥＥＰＲＯＭ等を備えており、ＲＯＭ又はＥＥＰＲＯＭに記憶されている処理プログラムがＲＡＭを作業領域としてＣＰＵで実行されることにより、精算装置８０に備えられる各構成要素の動作を制御して各種の処理を行うものである。なお、前記ＲＯＭには当該精算装置８０の装置ＩＤが記憶されている。この制御部８２はシステムコントローラ６０から送信されてきた使用禁止通知を受信したことに基づいて、精算を禁止すると共にカードＲ／Ｗ８３のカードを留保する。つまり使用中のカードを排出せず、カード回収部８３ｂにより回収しない。
【０１１８】
カードＲ／Ｗ８３は、カード挿入口８３ａから一般カード５を受け付けて、該一般カード５に記録されたカードＩＤ及びカード残額を読み取ると共に、該受け付けた一般カード５からカード残額を消去するものであり、ここでは前記ＩＣカードである一般カード５に対応したＩＣカードＲ／Ｗを備えている。
【０１１９】
カード回収部８３ｂは、カードＲ／Ｗ８３により受け付けている一般カード５からカード残額が消去されたときに、該受け付けている一般カード５を回収するものであり、具体的には、該受け付けている一般カード５を精算装置８０の背面方向に搬送してカード回収部８３ｂの内部に回収（収納）する。このカード回収部８３ｂは、複数枚の一般カード５を回収可能である。
【０１２０】
ディスプレイ８４は、図７（ｂ）に示すように、各種の情報を表示するための表示デバイスである。このディスプレイ８４では、一般カード５を受付可能なときに、Ｄ１に示すように、カードの挿入を促す旨が表示される。また後述する貨幣を返却するときに、Ｄ２に示すように、残額を返却する旨，及びカードを回収する旨が表示される。なおシステムコントローラ６０から精算不可情報を受信したときには、Ｄ３に示すように、カードに異常がある旨が表示される。
【０１２１】
紙幣払出機８５及び硬貨払出機８６は、システムコントローラ６０から精算許諾情報が返信されてきたときに、カード残額に相当する金額の貨幣を遊技者に返却するものであり、具体的には、紙幣払出機８５の背後に設けられる紙幣収納部８５ｂから所定数の紙幣２を取り出して紙幣払出口８５ａから払い出すと共に、硬貨払出機８６の上部に設けられる硬貨収納部８６ｂから所定数の硬貨３を取り出して硬貨払出口８６ａから払い出す。
【０１２２】
管理サーバ９０は、遊技場外（例えば一般カード５を発行するカード会社）に設けられ、前記システムコントローラ６０の場外通信部６１ｃと、通信回線を介して双方向のデータ通信を実施できるように接続されている。この管理サーバではシステムコントローラ６０との通信によってカードＩＤ毎に入金額，使用額，管理残額を記憶しており、一般カード５による売上を把握可能である。また、システムコントローラ６０並びにカードユニット２０のエラー状況等を把握できるようになっている。
【０１２３】
以上に説明した第１実施形態に係る遊技用システム１の作用について図８〜図１５を用いて説明する。まず、図８を用いて、紛失カードのカードＩＤを特定する際の処理について説明する。
【０１２４】
ＳＡ００に示すように、遊技場の店員が、一般カード５を紛失した遊技者から、遊技を行っていたパチンコ機１０の台番号と遊技していた時刻を得て、ディスプレイ６４に表示されているカード検索画面の「台番号」の表示に対応する入力欄に前記台番号を入力し、「使用時刻」の表示に対応する入力欄に前記時刻を入力して、「検索」ボタンを選択することで、ＳＡ０１以下の処理が行われる。なお、入力する時刻に対して時間範囲を付加する場合には、「前後」の表示に対応する入力欄に、付加する時間範囲（例えば３０分であれば３０）を入力した状態で、「検索」ボタンを選択する。
【０１２５】
まず、ＳＡ０１では、使用履歴ＤＢ（又は使用カードＤＢ）の記憶内容を参照して、前記入力された台番号に対応する装置ＩＤを特定する（ＳＡ０１）。そして、前記時間範囲の入力があるか否かを判定して（ＳＡ０２）、入力があるときには後述するＳＢ０１以降の処理を行う。一方、入力がないときには、使用履歴ＤＢを参照して、入力された時刻の直前の履歴が使用完了情報又は排出情報であるか否かを判定し（ＳＡ０３）、使用完了情報又は排出情報であると判定されたときには（Ｙ）、ＳＡ２０に示すように、入力された時刻に使用中のカードが存在しない旨をディスプレイ６４に表示する（ＳＡ２０）。一方、ＳＡ０３の判定で、使用完了情報ではなく排出情報でもないと判定されたときには（Ｎ）、前記入力された時刻の直前の履歴又は該入力された時刻の直後の履歴に対応するカードＩＤを特定し（ＳＡ０４）、ＳＡ０５以下の処理を行う。
【０１２６】
ＳＡ０５の判定は、ＳＡ０４で特定されたカードＩＤの一般カード５のカード残額が、既に全額使用された後であるか否かを判定するための処理であり、前記入力された時刻後に、前記特定されたカードＩＤが、使用完了情報と対応付けて使用履歴ＤＢに記憶されているか否かの判定を行う。ここで、いずれかの装置ＩＤのテーブルで入力時刻後に使用完了情報と対応付けて記憶されていると判定されたときには（Ｙ）、特定されたカードＩＤの一般カード５のカード残額が全額使用された旨を報知する（ＳＡ２１）。これにより、紛失カードを拾得した他者によって全額使用されたことを把握することができる。一方、ＳＡ０５で記憶されていないと判定されたときには（Ｎ）、ＳＡ０６の判定を行う。
【０１２７】
ＳＡ０６の判定は、ＳＡ０４で特定されたカードＩＤの一般カード５のカード残額が、既に精算された後であるか否かを判定するための処理であり、前記入力された時刻後に、前記特定されたカードＩＤが、精算完了情報と対応付けて使用履歴ＤＢに記憶されているか否かの判定を行う。ここで、いずれかの装置ＩＤのテーブルで入力時刻後に精算完了情報と対応付けて記憶されていると判定されたときには（Ｙ）、特定されたカードＩＤの一般カード５のカード残額が精算された旨を報知する（ＳＡ２２）。これにより、紛失カードを拾得した他者によって精算されたことを把握することができる。一方、ＳＡ０６で記憶されていないと判定されたときには（Ｎ）、ＳＡ０４で特定したカードＩＤが使用カードＤＢに記憶されているか否かを判定する（ＳＡ０７）。ＳＡ０７で記憶されていると判定されたときには（ＩＤ有）、該記憶されているカードＩＤに対応する装置ＩＤと台番号を特定し（ＳＡ０８）、ＳＡ０４で特定されたカードＩＤのカードがＳＡ０８で特定された台番号（又は装置ＩＤ）のカードユニット２０で使用されている旨を表示する（ＳＡ０９：台番号0200でC-111111を使用中です）。
【０１２８】
このように、各一般カード５の使用履歴のうち、システムコントローラ６０に入力された時刻の直前の履歴が使用完了情報又は排出情報のいずれでもなく、かつ入力された台番号に合致する使用履歴に含まれるカードＩＤを特定し、該特定されたカードＩＤの一般カード５が使用中であるカードユニット２０を特定して報知するので、個人情報の登録を行わずに発行される一般カード５についても、紛失時にカードＩＤを特定し、カードユニット２０における使用を発見して一般カード５を回収し、所有者に返却することができる。なお、ＳＡ０８で特定された装置ＩＤが精算装置８０の装置ＩＤであるときには、該装置ＩＤの精算装置８０で紛失カードが使用されている旨がディスプレイ６４に表示されるので、該精算装置８０における紛失カードの使用を発見してカードを回収し、所有者に返却することもできる。
【０１２９】
システムコントローラ６０では、ＳＡ０９で報知を行った後、使用禁止通知をＳＡ０８で特定した装置ＩＤのカードユニット２０又は精算装置８０に対して送信する（ＳＡ１０）。使用禁止通知を受けたカードユニット２０では、カード玉貸処理が禁止され、返却操作が無効化される。また、使用禁止通知を受けた精算装置８０では、精算が禁止され、一般カード５の排出及び回収が行われずカードＲ／Ｗ８３に留保される（以上ＳＡ１１）。
【０１３０】
このように、ＳＡ０８で特定された装置ＩＤのカードユニット２０に対して使用禁止通知を送信し、カードユニット２０では、使用禁止通知を受信したことに基づいて、返却操作を無効化するので、特定された一般カード５が持ち去られることを防止することができる。
【０１３１】
次にＳＡ０７に戻り、該ＳＡ０７で使用カードＤＢに記憶されていない（つまり現在使用中ではない）と判定されたときには（ＩＤ無）、特定されたカードＩＤのカードが現在使用中ではない旨を表示して（ＳＡ２３）、該特定されたカードＩＤを紛失カードリストに記憶する（ＳＡ２４）。これによって、前述したように、該記憶されたカードＩＤの一般カード５の使用が禁止される。
【０１３２】
このように、システムコントローラ６０では、特定されたカードＩＤの一般カード５の使用を禁止するための処理として、使用禁止通知の送信又は紛失カードリストへの登録を行うので、紛失カードが使用中であれば玉貸又は精算が禁止され、使用中でなければ紛失カードリストに登録されて貸与許諾情報及び精算許諾情報が送信されなくなる。即ち、拾得者等が紛失カードを使用することができなくなり、真の所有者の損害が拡大するのを防止することができる。
【０１３３】
次に図９を用いて、時間範囲の入力があるときの処理について説明する。まず、ＳＢ０１では、使用履歴ＤＢにおいて、ＳＡ０１で特定された装置ＩＤのテーブルを参照して、入力時刻前後に付加された時間範囲内（ここでは入力時刻である１３：００の前後３０分を含む時間範囲であり、１２：３０〜１３：３０迄）に対応する使用履歴を全て特定し（ＳＢ０１）、該特定した使用履歴に含まれるカードＩＤを全て特定する（ＳＢ０２）。そして、これら特定した使用履歴を、時間範囲内の履歴としてディスプレイ６４に表示する（ＳＢ０３）。このとき、ＳＢ０２で特定された全てのカードＩＤ各々に対応する検索ボタンをディスプレイ６４に併せて表示する。このように、各一般カードの使用履歴のうち、設定された時間範囲の少なくとも一部が、使用開始時刻（入金時刻，挿入時刻）から使用終了時刻（使用完了時刻，排出時刻）までの間に含まれ、かつ入力された台番号に合致する使用履歴に含まれるカードＩＤをすべて特定し、特定した各カードＩＤに対応する検索ボタンを使用履歴と共に表示する。これによって、ディスプレイ６４に表示される使用履歴を参考にして、紛失したカードのカードＩＤを選択することができる。そして、表示された検索ボタンが選択されると、ＳＢ０５以下の処理が行われる。
【０１３４】
ＳＢ０５では、時間範囲内における前記選択されたカードＩＤの最後の履歴に対応する時刻（例えば選択されたカードＩＤがC-000100であれば、該カードＩＤに対応付けて記憶されている時間範囲内(12:30-13:30)の最後の処理時刻である12:48）以降（当該最後の処理時刻を含む）に、該カードＩＤが使用完了情報と対応付けて使用履歴ＤＢに記憶されているか否かの判定を行う。ここで、いずれかの装置ＩＤのテーブルで前記最後の処理時刻以降に使用完了情報と対応付けて記憶されていると判定されたときには（Ｙ）、特定されたカードＩＤの一般カード５のカード残額が全額使用された旨を報知する（ＳＢ２１）。これにより、紛失カードを拾得した他者によって全額使用されたことを把握することができる。一方、ＳＢ０５で記憶されていないと判定されたときには（Ｎ）、ＳＢ０６の判定を行う。
【０１３５】
ＳＢ０６では、時間範囲内における前記選択されたカードＩＤの最後の履歴に対応する時刻以降（当該最後の処理時刻を含む）に、該カードＩＤが精算完了情報と対応付けて記憶されているか否かの判定を行う。ここで、いずれかの装置ＩＤのテーブルで前記最後の処理時刻以降に精算完了情報と対応付けて記憶されていると判定されたときには（Ｙ）、特定されたカードＩＤの一般カード５のカード残額が精算された旨を報知する（ＳＢ２２）。これにより、紛失カードを拾得した他者によって精算されたことを把握することができる。一方、ＳＢ０６で記憶されていないと判定されたときには（Ｎ）、前記選択されたカードＩＤが使用カードＤＢに記憶されているか否かを判定する（ＳＢ０７）。ＳＢ０７で記憶されていると判定されたときには（ＩＤ有）、該記憶されているカードＩＤに対応する装置ＩＤと台番号を特定し（ＳＢ０８）、選択されたカードＩＤがＳＢ０８で特定された台番号（又は装置ＩＤ）のカードユニット２０で使用されている旨を表示する（ＳＢ０９：台番号0200でC-000100を使用中です）。
【０１３６】
このように、表示されているカードＩＤの中から選択されたカードＩＤの一般カード５が使用中であるカードユニット２０（又は精算装置８０）を特定するので、所有者から得た時刻と、システムコントローラ６０側で管理している時刻との間にずれがある場合であっても、紛失カードのカードＩＤを特定可能であり、選択されたカードＩＤのカードが使用中であるカードユニット２０の台番号が報知される。なお、ＳＢ０８で特定された装置ＩＤが精算装置８０の装置ＩＤであるときには、該装置ＩＤの精算装置８０で紛失カードが使用されている旨がディスプレイ６４に表示されるので、該精算装置８０における紛失カードの使用を発見してカードを回収し、所有者に返却することもできる。
【０１３７】
システムコントローラ６０では、ＳＢ０９で報知を行った後、使用禁止通知をＳＢ０８で特定した装置ＩＤのカードユニット２０又は精算装置８０に対して送信する（ＳＢ１０）。使用禁止通知を受けたカードユニット２０では、カード玉貸処理が禁止され、返却操作が無効化される。また、使用禁止通知を受けた精算装置８０では、精算が禁止され、一般カード５の排出及び回収が行われずカードＲ／Ｗ８３に留保される（以上ＳＢ１１）。
【０１３８】
次にＳＢ０７に戻り、該ＳＢ０７で使用カードＤＢに記憶されていない（つまり現在使用中ではない）と判定されたときには（ＩＤ無）、特定されたカードＩＤのカードが現在使用中ではない旨を表示して（ＳＢ２３）、該特定されたカードＩＤを紛失カードリストに記憶する（ＳＢ２４）。これによって、前述したように、該記憶されたカードＩＤの一般カード５の使用，即ちカードユニット２０におけるカード玉貸処理や、精算装置８０における精算処理が禁止される。
【０１３９】
次に、図１０を用いて使用が禁止された一般カード５の使用を再び可とする際の処理について説明する。遊技場の店員が、図１０のＳＣ００に示すように、システムコントローラ６０のディスプレイ６４に表示されるカード使用再開画面において、入力欄に使用を再開する一般カード５のカードＩＤを入力して、「再開」ボタンを選択すると、該入力されたカードＩＤが、紛失カードリストのカードＩＤの中から特定され（ＳＣ０１）、紛失カードリストから消去される（ＳＣ０２）。これによって、前述したように、貸与許諾要求に応じた貸与許諾情報の送信と、精算許諾要求に応じた精算許諾情報の送信が可能となり、入力されたカードＩＤの一般カード５の使用，即ちカードユニット２０におけるカード玉貸処理や、精算装置８０における精算処理が再開される。そして、ディスプレイ６４には、該カードＩＤと共に、当該カードの使用が再開された旨が表示される（ＳＣ０３）。
【０１４０】
このように、システムコントローラ６０において、使用を禁止するための処理を行った一般カード５の使用を再び可とするための処理を行うので、紛失した一般カード５が発見された場合に、再び該一般カード５の使用が可能となり、新たなカードの発行コストを低減することができる。
【０１４１】
次に図１１を用いて、カードユニット２０が貨幣を受け付けたときの処理について説明する。
【０１４２】
図１１に示すように、遊技者が紙幣２又は硬貨３をカードユニット２０に入金することで紙幣識別機２３又は硬貨識別機２４によって紙幣２又は硬貨３が受け付けられると（Ｓ１００）、該貨幣の受付を検出したユニット制御部２２において入金不可の状態であるか否かの判定が実施される（Ｓ１０１）。Ｓ１０１の判定で入金不可の状態であると判定されたときには（Ｙ）、受け付けた紙幣２又は硬貨３が紙幣挿入口２３ａ又は硬貨返却口２４ｆから返却される（Ｓ１０２ａ）。一方、Ｓ１０１の判定で入金不可の状態でないと判定されると（Ｎ）、受け付けた紙幣２又は硬貨３が紙幣識別機２３又は硬貨識別機２４で識別される（Ｓ１０２）。
【０１４３】
次いで、ユニット制御部２２は、Ｓ１０２の識別結果としての入金額をカードＲ／Ｗ制御部２９に通知し（Ｓ１０３）、該通知を受けたカードＲ／Ｗ制御部２９は、〔現在のカード残額＋入金額〕を、新たなカード残額としてカードＲ／Ｗ２７の一般カード５に記録し（Ｓ１０４）、入金額と前記一般カード５のカードＩＤを含む入金要求を、装置ＩＤと共にシステムコントローラ６０に対して送信する（Ｓ１０５）。Ｓ１０５で送信された情報を受信したシステムコントローラ６０においては、受信したカードＩＤと対応付けて残額ＤＢに記憶されている管理残額に、同受信した入金額を加算して更新する（Ｓ１１０）。そして、前述したように、使用履歴ＤＢに、入金時刻，カードＩＤ，入金情報，入金額，管理残額を記憶して（Ｓ１１１）、入金額を加算更新した旨を示す入金完了通知を、受信した装置ＩＤのカードユニット２０に対して送信する（Ｓ１１２）。
【０１４４】
Ｓ１１２の入金完了通知を受信したカードＲ／Ｗ制御部２９では、一般カード５のカード残額（即ち上述した新たなカード残額）をユニット制御部２２に通知する（Ｓ１１３）。カード残額の通知を受けたユニット制御部２２は、該カード残額に相当する残度数を残度数表示器１４に表示すると共に、カード玉貸可能状態となる（Ｓ１１４）。なお、Ｓ１１４の処理を行うにあたり、既にカード玉貸可能状態となっているとき（つまり残額有りの一般カード５に追加入金されたとき）には、該カード玉貸可能状態が継続する。
【０１４５】
次に、図１２を用いて、一般カード５がカードユニット２０に挿入される際（前方挿入時）の処理について説明する。一般カード５がカード挿入口２７ａから挿入される際、該挿入されようとしている一般カード５のカード端（カードユニット２０内に挿入されている部分）の検出がカード挿入口２７ａ付近に設けられたセンサによって行われ（Ｓ２００）、カードＲ／Ｗ制御部２９が、該検出に基づいて、カード前方挿入禁止の状態であるか否かの判定を実施する（Ｓ２０１）。Ｓ２０１の判定で、カード前方挿入禁止の状態であると判定されたときには（Ｙ）、カードの取込処理を行わずに処理を終了する（Ｓ２０２ａ）。一方、Ｓ２０１の判定で、カード前方挿入禁止の状態でないと判定されたときには（Ｎ）、カードＲ／Ｗ２７のカード（即ち残額無しの一般カード５）をカードストッカ２８に収納する収納処理を行う（Ｓ２０２）。
【０１４６】
次いで、前記挿入されようとしているカードの取込処理が実施され、取り込まれた一般カード５がカードＲ／Ｗ２７に受け付けられた状態となる（Ｓ２０３）。次いで、カードＲ／Ｗ２７により受け付けた一般カード５の記録情報が読み取られ（Ｓ２０４）、カードＲ／Ｗ制御部２９は、読み取られたカードＩＤとカード残額を含む貸与許諾要求を、装置ＩＤと共にシステムコントローラ６０に送信する（Ｓ２０５）。
【０１４７】
Ｓ２０５の貸与許諾要求を受信したシステムコントローラ６０では、受信したカードＩＤが、紛失カードリストに記憶されているか否かを判定し（Ｓ２１０）、記憶されていると判定されたときには（Ｙ）、ディスプレイ６４に、受信した装置ＩＤに対応する台番号を、紛失カードリストのカードが使用されている旨と共に表示して（Ｓ２１１）、使用禁止通知をカードユニット２０に送信する（Ｓ２１２）。
【０１４８】
このように、システムコントローラ６０が、記録媒体識別情報特定手段により特定したカードＩＤを紛失カードリストに記憶しておき、カードユニット２０から貸与許諾要求が送信されてきたときに、該貸与許諾要求に含まれるカードＩＤが紛失カードリストに記憶されているか否かを判定し、記憶されていると判定されたときに貸与許諾要求の送信元のカードユニット２０を報知するので、カードＩＤの特定時にカードユニット２０で該カードＩＤのカードが使用されていない場合でも、その後に使用が開始されるときに該カードの使用を発見して回収し、所有者に返却することができる。
【０１４９】
Ｓ２１２の使用禁止通知をカードＲ／Ｗ制御部２９を介して受信したユニット制御部２２では、返却操作が無効化されて（Ｓ２１３）、カードが排出できなくなる。これにより、紛失カードが持ち去られることを回避することができる。そして店員によりリセット操作が行われることで紛失カードが回収されて、真の所有者に返却される。また、このときカード玉貸可能状態とはならないので、玉貸は禁止された状態である。
【０１５０】
一方、Ｓ２１０で記憶されていないと判定されたときには（Ｎ）、受信したカード残額が、同受信したカードＩＤに対応付けて残額ＤＢに記憶している管理残額以下であるか否か（受信したカード残額≦受信したカードＩＤに対応付けて残額ＤＢに記憶している管理残額？）の照合を実施する（Ｓ２２０）。このＳ２２０の照合が照合ＯＫ（即ち、受信したカード残額≦受信したカードＩＤに対応付けて残額ＤＢに記憶している管理残額）であるときには、前述したように、使用履歴ＤＢに、挿入時刻，カードＩＤ，挿入情報，管理残額を記憶して（Ｓ２３０）、該照合ＯＫの旨を示す貸与許諾情報を前記Ｓ２０５で送信されてきた装置ＩＤのカードユニット２０に対して送信する（Ｓ２３１）。なお、カードユニット２０とシステムコントローラ６０との間の通信状態がオフラインであるときに、カードユニット２０にてカード残額が使用されると、受信したカード残額＜受信したカードＩＤに対応付けて残額ＤＢに記憶している管理残額となるが、この場合には、受信したカードＩＤに対応付けて残額ＤＢに記憶している管理残額を、受信したカード残額に更新しておく。
【０１５１】
Ｓ２３１の貸与許諾情報を受信したカードＲ／Ｗ制御部２９では、カード残額をユニット制御部２２に通知する（Ｓ２３２）。カード残額の通知を受けたユニット制御部２２は、カード残額に相当する残度数を残度数表示器１４に表示すると共に、カード玉貸可能状態となる（Ｓ２３３）。ここで、Ｓ２２０に戻り、該Ｓ２２０で照合ＮＧ（即ち、受信したカード残額＞受信したカードＩＤに対応付けて残額ＤＢに記憶している管理残額）である場合には、該照合ＮＧの旨を示す貸与不可情報を前記Ｓ２０５で送信されてきた装置ＩＤのカードユニット２０に対して送信する（Ｓ２２１）。貸与不可情報を受信したカードＲ／Ｗ制御部２９では、カードＲ／Ｗ２７により受け付けた一般カード５を排出する（Ｓ２２２）。
【０１５２】
次に、図１３を用いて、玉貸ボタンが操作された際の処理について説明する。
【０１５３】
玉貸ボタン１５の操作が検出されると（Ｓ３００）、カード玉貸可能状態であるか否かの判定が実施され（Ｓ３０１）、カード玉貸可能状態であると判定された場合には（Ｙ）、Ｓ３１０のカード玉貸処理が行われる。一方、Ｓ３０１の判定で、カード玉貸可能状態でないと判定された場合には（Ｎ）、処理が終了する（Ｓ３０２）。
【０１５４】
カード玉貸処理に伴う処理について説明する。図４で説明したようにして、カード玉貸処理が行われると（Ｓ３１０）、今回のカード玉貸処理で使用された使用額（ここではユニット制御部２２から払出制御基板１２に指示した度数分の金額であり、例えば玉貸設定金額分の５００円）と、一般カード５から読み取られたカードＩＤを含む減算要求を、当該装置ＩＤと共にシステムコントローラ６０に対して送信する（Ｓ３１１）。
【０１５５】
Ｓ３１１で送信された減算要求を受信したシステムコントローラ６０においては、受信したカードＩＤに対応付けて残額ＤＢに記憶している管理残額から受信した使用額を減算し（Ｓ３２０）、前述したように、使用履歴ＤＢに、玉貸時刻，カードＩＤ，玉貸情報，使用額，管理残額を記憶して（Ｓ３２１）、減算完了に伴う減算完了通知を前記装置ＩＤの送信元であるカードユニット２０に送信する（Ｓ３２２）。該減算完了通知を受信したカードＲ／Ｗ制御部２９は、カード残額（減算更新後のカード残額）をユニット制御部２２に通知する（Ｓ３２３）。ユニット制御部２２は、通知されたカード残額が零であるか否かの判定を実施する（Ｓ３２４）。Ｓ３２４の判定で、カード残額が零であると判定されたときは（Ｙ）、カード玉貸可能状態を解除して（Ｓ３２５）、使用完了通知をカードＲ／Ｗ制御部２９に送信する（Ｓ３２６）。使用完了通知を受けたカードＲ／Ｗ制御部２９は、カードＲ／Ｗ２７で受け付けているカード（つまり、カード残額が零の一般カード５）をカードＲ／Ｗ２７部で留保（Ｓ３２７）すると共に、使用完了通知を、装置ＩＤと共にシステムコントローラ６０に対して送信する（Ｓ３２８）。使用完了通知を受けたシステムコントローラ６０では、前述したように、使用履歴ＤＢに、使用完了時刻，カードＩＤ，使用完了情報，管理残額を記憶する（Ｓ３３０）。一方、Ｓ３２４でカード残額が零でないと判定されたときには（Ｎ）、カード玉貸可能状態を継続する（Ｓ３２５ａ）。
【０１５６】
次に、図１４を用いて、カード返却ボタン１６が操作された際の処理について説明する。ユニット制御部２２において、カード返却ボタン１６の操作が検出されると（Ｓ４００）、返却操作が無効化されているか否かの判定を実施して（Ｓ４０１）、無効化されていると判定されると（Ｙ）、処理を終了する（Ｓ４０２ａ）。一方、Ｓ４０１で無効化されていないと判定されると（Ｎ）、カード玉貸可能状態であるか否かの判定が実施される（Ｓ４０２）。Ｓ４０２の判定でカード玉貸可能状態であると判定された場合には（Ｙ）、カード玉貸可能状態を解除して（Ｓ４０３）、カード返却ボタン１６が操作された旨を示す返却操作通知をカードＲ／Ｗ制御部２９に送信し（Ｓ４０４）、カードＲ／Ｗ制御部２９は、返却操作通知を受けたことに基づいてカードＲ／Ｗ２７のカードを排出する（Ｓ４０５）。次いでカードＲ／Ｗ制御部２９では、カードの排出に伴う排出通知を、装置ＩＤと共にシステムコントローラ６０に対して送信し（Ｓ４０６）、排出通知を受けたシステムコントローラ６０では、前述したように、使用履歴ＤＢに、排出時刻，カードＩＤ，排出情報，管理残額を記憶する（Ｓ４１０）。一方、Ｓ４０２の判定で、カード玉貸可能状態でないと判定されると（Ｎ）、処理を終了する（Ｓ４０２ａ）。
【０１５７】
次に図１５を用いて、精算処理における精算装置８０とシステムコントローラ６０の作用について説明する。精算装置８０において、一般カード５が挿入されて受け付けられると（Ｓ５００）、カードから記録情報（カードＩＤ，カード残額）を読み取って（Ｓ５０１）、該読み取ったカードＩＤ，カード残額を含む精算許諾要求を当該精算装置８０の装置ＩＤと共にシステムコントローラ６０に送信する（Ｓ５０２）。そして、精算許諾要求を受信したシステムコントローラ６０においては、受信したカードＩＤが、紛失カードリストに記憶されているか否かを判定し（Ｓ５１０）、記憶されていると判定されたときには（Ｙ）、ディスプレイ６４に、受信した装置ＩＤを、紛失カードリストのカードが使用されている旨と共に表示して（Ｓ５１１）、使用禁止通知をＳ５０２で受信した装置ＩＤの精算装置８０に送信する（Ｓ５１２）。このように、システムコントローラ６０が、記録媒体識別情報特定手段により特定したカードＩＤを紛失カードリストに記憶しておき、精算装置８０から精算許諾要求が送信されてきたときに、該精算許諾要求に含まれるカードＩＤが紛失カードリストに記憶されているか否かを判定し、記憶されていると判定されたときに精算許諾要求の送信元の精算装置８０を報知するので、カードＩＤの特定時に精算装置８０で該カードＩＤのカードが使用されていない場合でも、その後に使用が開始されるときに該カードの使用を発見して回収し、所有者に返却することができる。
【０１５８】
なお、Ｓ５１２の使用禁止通知を受信した制御部８２では、精算を禁止すると共に、一般カード５をカードＲ／Ｗ８３に留保する（Ｓ５１３）。これにより、留保されたカードは、店員により回収されて真の所有者に返却される。
【０１５９】
一方、Ｓ５１０で記憶されていないと判定されたときには（Ｎ）、受信したカード残額が、同受信したカードＩＤに対応付けて残額ＤＢに記憶している管理残額以下であるか否か（受信したカード残額≦受信したカードＩＤに対応付けて残額ＤＢに記憶している管理残額？）の照合を実施する（Ｓ５２０）。このＳ５２０の照合が照合ＯＫ（即ち、受信したカード残額≦受信したカードＩＤに対応付けて残額ＤＢに記憶している管理残額）であるときには、前述したように、使用履歴ＤＢに、精算開始時刻，カードＩＤ，精算開始情報，管理残額を記憶して（Ｓ５３１）、該照合ＯＫの旨を示す精算許諾情報を前記Ｓ５０２で送信されてきた装置ＩＤの精算装置８０に対して送信する（Ｓ５３２）。なお、受信したカード残額＜受信したカードＩＤに対応付けて残額ＤＢに記憶している管理残額、である場合には、受信したカードＩＤに対応付けて残額ＤＢに記憶している管理残額を、受信したカード残額に更新しておく。
【０１６０】
Ｓ５３２の精算許諾情報を受信した精算装置８０においては、前記読み取ったカード残額に相当する金額の貨幣を紙幣払出機８５及び／又は硬貨払出機８６から払い出して遊技者に返却する（Ｓ５３３）。次いで、一般カード５からカード残額を消去して、一般カード回収部８３ｂの内部に回収する（Ｓ５３４）。Ｓ５３４の処理が終了すると、精算装置８０からシステムコントローラ６０に対してカードＩＤを含む精算完了通知が送信され（Ｓ５３５）、これを受信したシステムコントローラ６０では、受信したカードＩＤに対応付けて記録されている管理残額を消去する（Ｓ５４０）。さらに、前述したように、使用履歴ＤＢに、精算完了時刻，カードＩＤ，精算額，管理残額を記憶する（Ｓ５４１）。
【０１６１】
一方、Ｓ５２０で、照合ＮＧの場合（受信したカード残額＞受信したカードＩＤに対応付けて記憶されている管理残額の場合）には、精算装置８０に対して、精算不可情報を返信する（Ｓ５２１）。精算不可情報を受信した精算装置８０はカードを排出する（Ｓ５２２）。
【０１６２】
［２．第２実施形態に係る遊技用システム１’］
次に図１〜図３を参照して、第２実施形態に係る遊技用システム１’の構成について説明する。遊技用システム１’は、図１に示すように、前記カードユニット２０に代えてカードユニット２０’を備える点と、前記システムコントローラ６０に代えてシステムコントローラ６０’を備える点と、前記精算装置８０に代えて精算装置８０’を備える点が、第１実施形態と異なる。なおカードユニット２０’がパチンコ機１０に対応して設けられる点や、紙幣２，硬貨３，及び一般カード５が使用される点等は、第１実施形態と同様である。
【０１６３】
第２実施形態に係るカードユニット２０’は、第１実施形態に係るカードユニット２０と比較して、前記ユニット制御部２２に代えてユニット制御部２２’を備える点と、前記システムコントローラ用通信部２９ａに代えて、システムコントローラ用通信部２９ａ’を備える点を備える点のみが異なり、その他の点は同様である。
【０１６４】
ユニット制御部２２’は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０’に備えられる各構成要素の動作を制御して（あるいは各構成要素からの信号を受信して）各種の処理を行うものである。なおＲＯＭには、前記装置ＩＤが記憶されている。このユニット制御部２２’には、図２に示すように、第１実施形態と同様の玉貸通信部２１ｂ，紙幣識別機２３，硬貨識別機２４，多機能ランプ２６，及びカードＲ／Ｗ制御部２９等が接続されている。
【０１６５】
このユニット制御部２２’は、第１実施形態のユニット制御部２２と同様に、貸与処理手段として機能する。
【０１６６】
このユニット制御部２２’は判定手段の一例であって、遊技用装置（カードユニット２０’）において使用中の記録媒体（一般カード５）の記録媒体識別情報（カードＩＤ）が後述する記録媒体識別情報送信手段（ユニット用通信部６１ａ’）から送信されてきた記録媒体識別情報と一致するか否かを判定するものであり、後述するシステムコントローラ６０’から送信されてくるカード特定通知を受信したときに、該カード特定通知に含まれるカードＩＤが、カードＲ／Ｗ２７により受け付けている残額有りの一般カード５のカードＩＤと一致するか否かを判定する。
【０１６７】
またユニット制御部２２’は返却禁止手段の一例であって、前記判定手段（ユニット制御部２２’）により一致すると判定されたときに、前記使用中の記録媒体（一般カード５）を返却する処理を不能動化するものであり、ここでは判定手段により一致すると判定されたときに、カード返却ボタン１６の操作を検知しても、返却操作通知をカードＲ／Ｗ制御部２９に送らない状態となる。即ち該状態となることで返却操作が無効化され、カードを返却するための処理が不能動化される。この状態は所定のリセット操作（カードユニット２０’のリセットボタンの操作やリモートコントローラからの指示等）によって解除される。なお、判定手段により一致すると判定されたときには、カード玉貸処理も禁止された状態となる。
【０１６８】
カードＲ／Ｗ制御部２９は、システムコントローラ用通信部２９ａ’を備えている。このシステムコントローラ用通信部２９ａ’は、ハブ４０，中継器５０，及び通信ケーブルを介して、システムコントローラ６０’のユニット用通信部６１ａ’に接続され、カードＲ／Ｗ制御部２９とシステムコントローラ６０’とのデータ通信を実施可能とされている。このシステムコントローラ用通信部２９ａ’から情報を送信するにあたっては、カードＲ／Ｗ制御部２９が前記ユニット制御部２２’から装置ＩＤを取得して、該取得した装置ＩＤも前記情報と共に送信する。このシステムコントローラ用通信部２９ａ’は、第１実施形態のシステムコントローラ用通信部２９ａと同様に、使用開始情報送信手段，及び使用終了情報送信手段として機能する。
【０１６９】
このシステムコントローラ用通信部２９ａ’は遊技用装置識別情報送信手段の一例であって、前記判定手段（ユニット制御部６２’）により一致すると判定されたときに、当該遊技用装置（カードユニット２０’）の遊技用装置識別情報（装置ＩＤ）を前記管理装置（システムコントローラ６０’）に対して送信するものであり、ここでは当該装置ＩＤを含み、紛失カードが当該装置で使用されている旨を示すカード使用通知をシステムコントローラ６０’に対して送信する。
【０１７０】
ここで前記ユニット制御部２２’のＥＥＰＲＯＭには、図６（ｂ）に示す紛失カードリストが記憶されている。この紛失カードリストは記録媒体識別情報記憶手段の一例であって、後述する記録媒体識別情報送信手段（ユニット用通信部６１ａ’）から送信されてきた記録媒体識別情報（カードＩＤ）を記憶するものであり、システムコントローラ６０’からカード特定通知を受信したときに、該カード特定通知に含まれるカードＩＤのカードが使用中でなければ（カードＲ／Ｗ２７にある残額有りの一般カード５のカードＩＤと一致しなければ）、該カードＩＤがユニット制御部２２’によって紛失カードリストに登録される。
【０１７１】
ここで前記判定手段として機能するユニット制御部２２’は、当該遊技用装置（カードユニット２０’）において新たに使用が開始された記録媒体（一般カード５）の記録媒体識別情報（カードＩＤ）が前記記録媒体識別情報記憶手段（紛失カードリスト）に記憶されているか否かを判定するものであり、ここでは外部から挿入された一般カード５をカードＲ／Ｗ２７により受け付けたときに、該一般カード５のカードＩＤが紛失カードリストに記憶されているか否かを判定する。
【０１７２】
そして前記遊技用装置識別情報送信手段として機能するシステムコントローラ用通信部２９ａ’は、判定手段であるユニット制御部２２’により前記記録媒体識別情報（カードＩＤ）が紛失カードリストに記憶されていると判定されたときに、当該遊技用装置（カードユニット２０’）の遊技用装置識別情報（装置ＩＤ）を前記管理装置（システムコントローラ６０’）に対して送信するものであり、ここでは当該装置ＩＤを含み、紛失カードが当該装置で使用されている旨を示すカード使用通知をシステムコントローラ６０’に対して送信する。
【０１７３】
第２実施形態に係るシステムコントローラ６０’は、第１実施形態に係るシステムコントローラ６０と比較して、前記制御部６２に代えて制御部６２’を備える点と、前記ユニット用通信部６１ａに代えてユニット用通信部６１ａ’を備える点と、前記精算装置用通信部６１ｄに代えて精算装置用通信部６１ｄ’を備える点と、前記ハードディスク６３に代えてハードディスク６３’を備える点と、前記ディスプレイ６４に代えてディスプレイ６４’を備える点と、入力装置６５に代えて入力装置６５’を備える点が異なり、その他の点は同様である。
【０１７４】
ユニット用通信部６１ａ’は第１実施形態のユニット用通信部６１ａと同様に、入金完了通知をカードユニット２０’に対して送信する。また、貸与許諾情報をカードユニット２０’に対して送信する。一方、ユニット用通信部６１ａ’は第１実施形態のユニット制御部６１ａと異なり、返却禁止情報送信手段としては機能しない。
【０１７５】
ユニット用通信部６１ａ’は記録媒体識別情報送信手段の一例であって、後述する記録媒体識別情報特定手段（制御部６２’）により特定された記録媒体識別情報（カードＩＤ）を前記遊技用装置（カードユニット２０’）に対して送信するものである。ここでは図１６のＳＡ０４で特定されたカードＩＤを含むカード特定通知を各カードユニット２０’に対して送信する（ＳＡ１０’）。また、記録媒体識別情報送信手段として機能するユニット用通信部６１ａ’は、後述する使用履歴表示手段であるディスプレイ６４’により表示されている記録媒体識別情報（カードＩＤ）から選択された記録媒体識別情報を送信するものであり、図１７のＳＢ１０’に示すように、選択された（ここでは対応するボタンが選択された）カードＩＤを含むカード特定通知を各カードユニット２０’に対して送信する。
【０１７６】
精算装置用通信部６１ｄ’は第１実施形態の精算装置用通信部６１ｄと同様に、精算許諾情報をカードユニット２０’に対して送信する。この精算装置用通信部６１ｄ’は、後述する記録媒体識別情報特定手段（制御部６２’）により特定された記録媒体識別情報（カードＩＤ）を精算装置８０’に対して送信するものであり、図１６のＳＡ０４で特定されたカードＩＤを含むカード特定通知を各精算装置８０’に対して送信する（ＳＡ１０’）。また、精算装置用通信部６１ｄ’は、後述する使用履歴表示手段であるディスプレイ６４’により表示されている記録媒体識別情報（カードＩＤ）から選択された記録媒体識別情報を送信するものであり、図１７のＳＢ１０’に示すように、選択された（ここでは対応するボタンが選択された）カードＩＤを含むカード特定通知を各精算装置８０’に対して送信する。
【０１７７】
制御部６２’は、ＣＰＵ，ＲＡＭ，ＲＯＭ等を備えており、ハードディスク６３’に記憶されている処理プログラムがＲＡＭを作業領域としてＣＰＵで実行されることにより、システムコントローラ６０に備えられる各構成要素の動作を制御して各種の処理を行うものであり、例えば、カードユニット２０’，精算装置８０’から送信されてきたカード残額の照合や、各ＤＢの更新処理を行うものである。この制御部６２’は、第１実施形態における制御部６２と異なり、遊技用装置特定手段，使用開始時判定手段としては機能しない。
【０１７８】
ここで制御部６２’は、第１実施形態における制御部６２と同様に、記録媒体識別情報特定手段として機能する。
【０１７９】
記憶装置であるハードディスク６３’は、第１実施形態におけるハードディスク６３と同様に、残額ＤＢ，使用履歴ＤＢを記憶しており、使用履歴管理手段として機能する。但し、使用カードＤＢ，及び紛失カードリストを記憶しておらず、使用中記録媒体管理手段，記録媒体識別情報記憶手段としては機能しない。
【０１８０】
ディスプレイ６４’は、各種の情報を表示するための表示デバイスであり、例えば液晶ディスプレイである。入力装置６５’はシステムコントローラ６０’に各種の情報を入力するためのデバイスであり、例えばキーボードやマウスである。ここでディスプレイ６４’及び入力装置６５’は、第１実施形態のディスプレイ６４及び入力装置６５と同様に、入力手段，時間範囲設定手段，及び使用履歴表示手段として機能する。
【０１８１】
またディスプレイ６４’は報知手段の一例であって、前記遊技用装置識別情報送信手段（システムコントローラ用通信部２９ａ’）から送信されてきた遊技用装置識別情報（装置ＩＤ）の遊技用装置を報知するものであり、ここではカードユニット２０’から送信されてきたカード使用通知に含まれる装置ＩＤに対応する台番号を表示する。また、精算装置８０’から送信されてきたカード使用通知に含まれる装置ＩＤを表示するものである。なお、管理装置（システムコントローラ６０’）では、前記使用履歴ＤＢにおいて、各遊技用装置の装置ＩＤと当該遊技用装置に対応する遊技機の台番号とを対応付けて管理しているので、受信したカード使用通知に含まれる装置ＩＤに対応する台番号をディスプレイ６４’に表示する処理は、該装置ＩＤの遊技用装置を報知する処理に相当する。
【０１８２】
また前記制御部６２’は使用禁止処理手段の一例であって、前記記録媒体識別情報特定手段（制御部６２’）により特定された記録媒体識別情報（カードＩＤ）の記録媒体（一般カード５）の使用を禁止するための処理（カードＩＤの送信）を行うものであり、ここでは、各カードユニット２０’及び精算装置８０’に対して前記ユニット用通信部６１ａ’及び精算装置用通信部６１ｄ’からカード特定通知を送信する処理を行う。つまり、カード特定通知をカードユニット２０’が受信すると、該受信したカード特定通知に含まれるカードＩＤがカードＲ／Ｗ２７にある残額有りの一般カード５のカードＩＤと一致するか否かが判定され、一致すると判定されたときにはカード玉貸処理が禁止される。また、前記カード特定通知を精算装置８０’が受信すると、該受信したカード特定通知に含まれるカードＩＤがカードＲ／Ｗ８３にある一般カード５のカードＩＤと一致するか否かが判定され、一致すると判定されたときには精算が禁止される。これによりカードユニット２０’や精算装置８０’で使用中の紛失カードの使用が禁止される。また、カードユニット２０’において、受信したカード特定通知に含まれるカードＩＤが、カードＲ／Ｗ２７の一般カード５のカードＩＤと一致しないと判定されたときには、該カードＩＤをユニット制御部２２’の紛失カードリストに登録する処理を行うので、該受信したカード特定通知に含まれるカードＩＤの一般カード５を受け付けたときには貸与許諾要求を送信しない。また、精算装置８０’において、受信したカード特定通知に含まれるカードＩＤが、カードＲ／Ｗ８３の一般カード５のカードＩＤと一致しないと判定されたときには、該カードＩＤを制御部８２’の紛失カードリストに登録する処理を行うので、該受信したカードＩＤの一般カード５を受け付けたときには、精算許諾要求を送信しない。即ち、特定されたカードＩＤの一般カード５は、カードユニット２０’，精算装置８０’で使用禁止となる。
【０１８３】
さらに前記制御部６２’は使用再開処理手段の一例であって、前記使用禁止設定手段（制御部６２’）により使用を禁止するための処理を行った記録媒体（一般カード５）の使用を再び可とするための処理（紛失カードリストからの消去）を行うものである。具体的には、図１８のＳＣ００に示すカード使用再開画面に、使用を可とする一般カード５のカードＩＤが入力された状態で、画面下の「再開」ボタンが選択されると、該入力されたカードＩＤを含み、該カードＩＤを紛失カードリストから消去する旨を示す使用再開通知が、各カードユニット２０’，各精算装置８０’に送信される（ＳＣ０１’）。使用再開通知を受信したカードユニット２０’では、ユニット制御部２２’によって紛失カードリストから、使用再開通知に含まれるカードＩＤが消去される（ＳＣ０２’）。また、使用再開通知を受信した精算装置８０’では、制御部８２’によって紛失カードリストから、使用再開通知に含まれるカードＩＤが消去される（ＳＣ０２’）。これにより、使用が禁止された一般カード５が、カードユニット２０’，精算装置８０’で再び使用可となる。
【０１８４】
第２実施形態に係る精算装置８０’は、第１実施形態に係る精算装置８０と比較して、前記通信部８１に代えて通信部８１’を備える点と、前記制御部８２に代えて制御部８２’を備える点が異なり、その他の点は同様である。
【０１８５】
通信部８１’は、システムコントローラ６０’の精算装置用通信部６１ｄ’と通信可能に接続されており、精算装置８０’とシステムコントローラ６０’との間における通信を司るものである。この通信部８１’は、第１実施形態の通信部８１と同様に、カードＲ／Ｗ８３が一般カード５を受け付けたときに、該一般カード５から読み取られたカードＩＤとカード残額とを含む精算許諾要求を、装置ＩＤと共にシステムコントローラ６０’に対して送信する。また、カード残額相当の貨幣の払い出しが完了したときに、精算完了通知を、装置ＩＤと共にシステムコントローラ６０’に対して送信する。
【０１８６】
制御部８２’は、ＣＰＵ，ＲＡＭ，ＲＯＭ，ＥＥＰＲＯＭ等を備えており、ＲＯＭ又はＥＥＰＲＯＭに記憶されている処理プログラムがＲＡＭを作業領域としてＣＰＵで実行されることにより、精算装置８０’に備えられる各構成要素の動作を制御して各種の処理を行うものである。なお、前記ＲＯＭには当該精算装置８０’の装置ＩＤが記憶されている。
【０１８７】
この制御部８２’は、カードＲ／Ｗ８３の一般カード５のカードＩＤが前記精算装置用通信部６１ｄ’から送信されてきたカードＩＤと一致するか否かを判定するものであり、システムコントローラ６０’から送信されてくるカード特定通知を受信したときに、該カード特定通知に含まれるカードＩＤが、カードＲ／Ｗ８３により受け付けている一般カード５のカードＩＤと一致するか否かを判定する。そして、一致すると判定したときには、精算を禁止してカードを留保すると共に、前記通信部８１’から当該精算装置８０’の装置ＩＤを含むカード使用通知をシステムコントローラ６０’に対して送信する。
【０１８８】
ここで制御部８２’のＥＥＰＲＯＭには、図６（ｂ）に示す紛失カードリストが記憶されている。この紛失カードリストは、前記精算装置用通信部６１ｄ’から送信されてきた記録媒体識別情報（カードＩＤ）を記憶するものであり、システムコントローラ６０’からカード特定通知を受信したときに、該カード特定通知に含まれるカードＩＤがカードＲ／Ｗ８３で受け付けている一般カード５のカードＩＤと一致しなければ、該カードＩＤが制御部８２’によって紛失カードリストに登録される。
【０１８９】
ここで制御部８２’は、当該精算装置８０’に挿入された一般カード５をカードＲ／Ｗ８３により受け付けたときに、該一般カード５のカードＩＤが紛失カードリストに記憶されているか否かを判定するものである。そして通信部８１’は、制御部８２’によりカードＩＤが紛失カードリストに記憶されていると判定されたときに、当該精算装置８０’の装置ＩＤを含むカード使用通知をシステムコントローラ６０’に対して送信する。
【０１９０】
以上に説明した第２実施形態に係る遊技用システム１’の作用について図１６〜図２０を用いて説明する。なお、第１実施形態の処理と重複する部分については説明を省略する。
【０１９１】
まず、図１６を用いて、紛失カードのカードＩＤを特定する際の処理について説明する。
【０１９２】
ＳＡ００に示すように、遊技場の店員が、一般カード５を紛失した遊技者から、遊技を行っていたパチンコ機１０の台番号と遊技していた時刻を得て、ディスプレイ６４に表示されているカード検索画面の「台番号」の表示に対応する入力欄に前記台番号を入力し、「使用時刻」の表示に対応する入力欄に前記時刻を入力して、「検索」ボタンを選択することで、ＳＡ０１以下の処理が行われる。なお、入力する時刻に対して時間範囲を付加する場合には、「前後」の表示に対応する入力欄に、付加する時間範囲（例えば３０分であれば３０）を入力した状態で、「検索」ボタンを選択する。
【０１９３】
まず、ＳＡ０１では、使用履歴ＤＢ（又は使用カードＤＢ）の記憶内容を参照して、前記入力された台番号に対応する装置ＩＤを特定する（ＳＡ０１）。そして、前記時間範囲の入力があるか否かを判定して（ＳＡ０２）、入力があるときには後述するＳＢ０１以降の処理を行う。一方、入力がないときには、使用履歴ＤＢを参照して、入力された時刻の直前の履歴が使用完了情報又は排出情報であるか否かを判定し（ＳＡ０３）、使用完了情報又は排出情報であると判定されたときには（Ｙ）、ＳＡ２０に示すように、入力された時刻に使用中のカードが存在しない旨をディスプレイ６４に表示する（ＳＡ２０）。一方、ＳＡ０３の判定で、使用完了情報ではなく排出情報でもないと判定されたときには（Ｎ）、前記入力された時刻の直前の履歴又は該入力された時刻の直後の履歴に対応するカードＩＤを特定し（ＳＡ０４）、ＳＡ０５以下の処理を行う。
【０１９４】
ＳＡ０５の判定は、ＳＡ０４で特定されたカードＩＤの一般カード５のカード残額が、既に全額使用された後であるか否かを判定するための処理であり、前記入力された時刻後に、前記特定されたカードＩＤが、使用完了情報と対応付けて使用履歴ＤＢに記憶されているか否かの判定を行う。ここで、いずれかの装置ＩＤのテーブルで入力時刻後に使用完了情報と対応付けて記憶されていると判定されたときには（Ｙ）、特定されたカードＩＤの一般カード５のカード残額が全額使用された旨を報知する（ＳＡ２１）。これにより、紛失カードを拾得した他者によって全額使用されたことを把握することができる。一方、ＳＡ０５で記憶されていないと判定されたときには（Ｎ）、ＳＡ０６の判定を行う。
【０１９５】
ＳＡ０６の判定は、ＳＡ０４で特定されたカードＩＤの一般カード５のカード残額が、既に精算された後であるか否かを判定するための処理であり、前記入力された時刻後に、前記特定されたカードＩＤが、精算完了情報と対応付けて使用履歴ＤＢに記憶されているか否かの判定を行う。ここで、いずれかの装置ＩＤのテーブルで入力時刻後に精算完了情報と対応付けて記憶されていると判定されたときには（Ｙ）、特定されたカードＩＤの一般カード５のカード残額が精算された旨を報知する（ＳＡ２２）。これにより、紛失カードを拾得した他者によって精算されたことを把握することができる。一方、ＳＡ０６で記憶されていないと判定されたときには（Ｎ）、各カードユニット２０’及び各精算装置８０’に対して、ＳＡ０４で特定したカードＩＤを含むカード特定通知を送信する（ＳＡ１０’）。
【０１９６】
該カード特定通知を受信したカードユニット２０’では、カードＲ／Ｗ２７の一般カード５のカードＩＤが、受信したカード特定通知に含まれるカードＩＤと一致するか否かを判定し（ＳＡ１１’）、一致すると判定されたときには、ユニット制御部２２’でカード玉貸処理を禁止して、返却操作を無効とする（ＳＡ１２’）。そして、当該カードユニット２０’の装置ＩＤを含むカード使用通知をシステムコントローラ６０’に対して送信する（ＳＡ１３’）。該ＳＡ１３’で送信されたカード使用通知を受信したシステムコントローラ６０’は、該カード使用通知に含まれる装置ＩＤに対応付けて管理している台番号をディスプレイ６４’に表示する（ＳＡ１５’）。一方、ＳＡ１１’で一致しないと判定されたときには、受信したカード特定通知に含まれるカードＩＤを紛失カードリストに登録する（ＳＡ１４’）。なお、ＳＡ１０’のカード特定通知を受信した精算装置８０’では、カードＲ／Ｗ８３の一般カード５のカードＩＤが、受信したカード特定通知に含まれるカードＩＤと一致するか否かを判定し（ＳＡ１１’）、一致すると判定されたときには、精算処理を禁止してカードを留保する（ＳＡ１２’）。そして、当該精算装置８０’の装置ＩＤを含むカード使用通知をシステムコントローラ６０’に対して送信する（ＳＡ１３’）。該ＳＡ１３’で送信されたカード使用通知を受信したシステムコントローラ６０’は、該カード使用通知に含まれる装置ＩＤをディスプレイ６４’に表示する（ＳＡ１５’）。一方、ＳＡ１１’で一致しないと判定されたときには、受信したカード特定通知に含まれるカードＩＤを紛失カードリストに登録する（ＳＡ１４’）。
【０１９７】
このように、各一般カード５の使用履歴のうち、システムコントローラ６０に入力された時刻の直前の履歴が使用完了情報又は排出情報のいずれでもなく、かつ入力された台番号に合致する使用履歴に含まれるカードＩＤを特定してカードユニット２０’及び精算装置８０’に送信し、カードユニット２０’で使用中のカードのカードＩＤが受信したカードＩＤと一致したときに、当該カードユニット２０’の装置ＩＤがシステムコントローラ６０’に送信されて、装置ＩＤに対応する台番号が報知されるので、個人情報の登録を行わずに発行される一般カード５についても、紛失時にカードＩＤを特定し、カードユニット２０’における使用を発見して一般カード５を回収し、所有者に返却することができる。また、精算装置８０’で使用中のカードのカードＩＤが受信したカードＩＤと一致したときに、当該精算装置８０’の装置ＩＤがシステムコントローラ６０’に送信されて、報知されるので、個人情報の登録を行わずに発行される一般カード５についても、紛失時にカードＩＤを特定し、精算装置８０’における使用を発見して一般カード５を回収し、所有者に返却することができる。
【０１９８】
また、カードユニット２０’において使用中のカードのカードＩＤと受信したカード特定通知に含まれるカードＩＤが一致すると判定されたときに、使用中のカードの返却操作を無効化するので、該一般カード５が持ち去られることを防止することができる。
【０１９９】
次に図１７を用いて、時間範囲の入力があるときの処理について説明する。まず、ＳＢ０１では、使用履歴ＤＢにおいて、ＳＡ０１で特定された装置ＩＤのテーブルを参照して、入力時刻前後に付加された時間範囲内（ここでは入力時刻である１３：００の前後３０分を含む時間範囲であり、１２：３０〜１３：３０迄）に対応する使用履歴を全て特定し（ＳＢ０１）、該特定した使用履歴に含まれるカードＩＤを全て特定する（ＳＢ０２）。そして、これら特定した使用履歴を、時間範囲内の履歴としてディスプレイ６４に表示する（ＳＢ０３）。このとき、ＳＢ０２で特定された全てのカードＩＤ各々に対応する検索ボタンをディスプレイ６４に併せて表示する。このように、各一般カードの使用履歴のうち、設定された時間範囲の少なくとも一部が、使用開始時刻（入金時刻，挿入時刻）から使用終了時刻（使用完了時刻，排出時刻）までの間に含まれ、かつ入力された台番号に合致する使用履歴に含まれるカードＩＤをすべて特定し、特定した各カードＩＤに対応する検索ボタンを使用履歴と共に表示する。これによって、ディスプレイ６４に表示される使用履歴を参考にして、紛失したカードのカードＩＤを選択することができる。そして、表示された検索ボタンが選択されると、ＳＢ０５以下の処理が行われる。
【０２００】
ＳＢ０５では、時間範囲内における前記選択されたカードＩＤの最後の履歴に対応する時刻（例えば選択されたカードＩＤがC-000100であれば、該カードＩＤに対応付けて記憶されている時間範囲内(12:30-13:30)の最後の処理時刻である12:48）以降（当該最後の処理時刻を含む）に、該カードＩＤが使用完了情報と対応付けて使用履歴ＤＢに記憶されているか否かの判定を行う。ここで、いずれかの装置ＩＤのテーブルで前記最後の処理時刻以降に使用完了情報と対応付けて記憶されていると判定されたときには（Ｙ）、特定されたカードＩＤの一般カード５のカード残額が全額使用された旨を報知する（ＳＢ２１）。これにより、紛失カードを拾得した他者によって全額使用されたことを把握することができる。一方、ＳＢ０５で記憶されていないと判定されたときには（Ｎ）、ＳＢ０６の判定を行う。
【０２０１】
ＳＢ０６では、時間範囲内における前記選択されたカードＩＤの最後の履歴に対応する時刻以降（当該最後の処理時刻を含む）に、該カードＩＤが精算完了情報と対応付けて記憶されているか否かの判定を行う。ここで、いずれかの装置ＩＤのテーブルで前記最後の処理時刻以降に精算完了情報と対応付けて記憶されていると判定されたときには（Ｙ）、特定されたカードＩＤの一般カード５のカード残額が精算された旨を報知する（ＳＢ２２）。これにより、紛失カードを拾得した他者によって精算されたことを把握することができる。一方、ＳＢ０６で記憶されていないと判定されたときには（Ｎ）、各カードユニット２０’及び各精算装置８０’に対して、選択されたカードＩＤを含むカード特定通知を各装置（カードユニット２０’，精算装置８０’）送信する（ＳＢ１０’）。
【０２０２】
該カード特定通知を受信したカードユニット２０’では、カードＲ／Ｗ２７の一般カード５のカードＩＤが、受信したカード特定通知に含まれるカードＩＤと一致するか否かを判定し（ＳＢ１１’）、一致すると判定されたときには、ユニット制御部２２’でカード玉貸処理を禁止して、返却操作を無効とする（ＳＢ１２’）。そして、当該カードユニット２０’の装置ＩＤを含むカード使用通知をシステムコントローラ６０’に対して送信する（ＳＢ１３’）。該ＳＢ１３’で送信されたカード使用通知を受信したシステムコントローラ６０’は、該カード使用通知に含まれる装置ＩＤに対応付けて管理している台番号をディスプレイ６４’に表示する（ＳＢ１５’）。一方、ＳＢ１１’で一致しないと判定されたときには、受信したカード特定通知に含まれるカードＩＤを紛失カードリストに登録する（ＳＢ１４’）。なお、ＳＢ１０’のカード特定通知を受信した精算装置８０’では、カードＲ／Ｗ８３の一般カード５のカードＩＤが、受信したカード特定通知に含まれるカードＩＤと一致するか否かを判定し（ＳＢ１１’）、一致すると判定されたときには、精算処理を禁止してカードを留保する（ＳＢ１２’）。そして、当該精算装置８０’の装置ＩＤを含むカード使用通知をシステムコントローラ６０’に対して送信する（ＳＢ１３’）。該ＳＢ１３’で送信されたカード使用通知を受信したシステムコントローラ６０’は、該カード使用通知に含まれる装置ＩＤをディスプレイ６４’に表示する（ＳＢ１５’）。一方、ＳＢ１１’で一致しないと判定されたときには、受信したカード特定通知に含まれるカードＩＤを紛失カードリストに登録する（ＳＢ１４’）。
【０２０３】
このように、表示されているカードＩＤの中から選択されたカードＩＤをカードユニット２０’（又は精算装置８０’）に対して送信するので、所有者から得た時刻と、システムコントローラ６０側で管理している時刻との間にずれがある場合であっても、紛失カードのカードＩＤを特定可能であり、選択されたカードＩＤのカードが使用中であるカードユニット２０’の台番号（又は精算装置８０’の装置ＩＤ）が報知される。
【０２０４】
次に、図１８を用いて使用が禁止された一般カード５の使用を再び可とする際の処理について説明する。遊技場の店員が、図１８のＳＣ００に示すように、システムコントローラ６０’のディスプレイ６４’に表示されるカード使用再開画面において、入力欄に使用を再開する一般カード５のカードＩＤを入力して、「再開」ボタンを選択することで、該入力されたカードＩＤを含む使用再開通知が、カードユニット２０’，精算装置８０’に対して送信される（ＳＣ０１’）。該使用再開通知を受けたカードユニット２０’では、使用再開通知に含まれるカードＩＤが、記憶している紛失カードリストのカードＩＤの中から特定されて、消去される（ＳＣ０２’）。そして使用再開通知を受けた精算装置８０’では、使用再開通知に含まれるカードＩＤが、記憶している紛失カードリストのカードＩＤの中から特定されて、消去される（ＳＣ０２’）。これによって、カードユニット２０’では、前記使用再開通知に含まれるカードＩＤのカードを受け付けたときにも、貸与許諾要求を送信するようになる。また、精算装置８０’では、前記使用再開通知に含まれるカードＩＤのカードを受け付けたときにも、精算許諾要求を送信するようになる。つまり、入力されたカードＩＤの一般カード５の使用，即ちカードユニット２０’におけるカード玉貸処理や、精算装置８０’における精算処理が再開される。
【０２０５】
次に、図１９を用いて、一般カード５がカードユニット２０’に挿入される際（前方挿入時）の処理について説明する。一般カード５がカード挿入口２７ａから挿入される際、該挿入されようとしている一般カード５のカード端（カードユニット２０内に挿入されている部分）の検出がカード挿入口２７ａ付近に設けられたセンサによって行われ（Ｓ２００）、カードＲ／Ｗ制御部２９が、該検出に基づいて、カード前方挿入禁止の状態であるか否かの判定を実施する（Ｓ２０１）。Ｓ２０１の判定で、カード前方挿入禁止の状態であると判定されたときには（Ｙ）、カードの取込処理を行わずに処理を終了する（Ｓ２０２ａ）。一方、Ｓ２０１の判定で、カード前方挿入禁止の状態でないと判定されたときには（Ｎ）、カードＲ／Ｗ２７のカード（即ち残額無しの一般カード５）をカードストッカ２８に収納する収納処理を行う（Ｓ２０２）。
【０２０６】
次いで、前記挿入されようとしているカードの取込処理が実施され、取り込まれた一般カード５がカードＲ／Ｗ２７に受け付けられた状態となる（Ｓ２０３）。次いで、カードＲ／Ｗ２７により受け付けた一般カード５の記録情報が読み取られ（Ｓ２０４）、カードＲ／Ｗ制御部２９は、読み取られたカードＩＤとカード残額をユニット制御部２２’に通知し、ユニット制御部２２’において、該読み取られたカードＩＤが紛失カードリストに記憶されているか否かの判定が実施される（Ｓ２０５ａ’）。該Ｓ２０５ａ’で記憶されていないと判定されたときには（Ｎ）、読み取られたカードＩＤとカード残額を含む貸与許諾要求を、カードＲ／Ｗ制御部２９を介して装置ＩＤと共にシステムコントローラ６０に送信する（Ｓ２０５）。
【０２０７】
Ｓ２０５の貸与許諾要求を受信したシステムコントローラ６０では、受信したカード残額が、同受信したカードＩＤに対応付けて残額ＤＢに記憶している管理残額以下であるか否か（受信したカード残額≦受信したカードＩＤに対応付けて残額ＤＢに記憶している管理残額？）の照合を実施する（Ｓ２２０）。このＳ２２０の照合が照合ＯＫ（即ち、受信したカード残額≦受信したカードＩＤに対応付けて残額ＤＢに記憶している管理残額）であるときには、前述したように、使用履歴ＤＢに、挿入時刻，カードＩＤ，挿入情報，管理残額を記憶して（Ｓ２３０）、該照合ＯＫの旨を示す貸与許諾情報を前記Ｓ２０５で送信されてきた装置ＩＤのカードユニット２０に対して送信する（Ｓ２３１）。
【０２０８】
Ｓ２３１の貸与許諾情報を受信したカードＲ／Ｗ制御部２９では、カード残額をユニット制御部２２に通知する（Ｓ２３２）。カード残額の通知を受けたユニット制御部２２は、カード残額に相当する残度数を残度数表示器１４に表示すると共に、カード玉貸可能状態となる（Ｓ２３３）。ここで、Ｓ２２０に戻り、該Ｓ２２０で照合ＮＧ（即ち、受信したカード残額＞受信したカードＩＤに対応付けて残額ＤＢに記憶している管理残額）である場合には、該照合ＮＧの旨を示す貸与不可情報を前記Ｓ２０５で送信されてきた装置ＩＤのカードユニット２０に対して送信する（Ｓ２２１）。貸与不可情報を受信したカードＲ／Ｗ制御部２９では、カードＲ／Ｗ２７により受け付けた一般カード５を排出する（Ｓ２２２）。
【０２０９】
一方、前記Ｓ２０５ａ’で記憶されていると判定されたときには（Ｙ）、返却操作が無効化される（Ｓ２０６ａ’）。このときカード玉貸可能状態とはならないので、玉貸は禁止された状態である。次いで、カードＲ／Ｗ制御部２９，システムコントローラ用通信部２９ａ’を介して当該カードユニット２０’の装置ＩＤを含むカード使用通知がシステムコントローラ６０’に対して送信される。（Ｓ２０７ａ’）。カード使用通知を受けたシステムコントローラ６０’においては、該カード使用通知に含まれる装置ＩＤに対応する台番号が報知される（Ｓ２１１’）。
【０２１０】
このように、システムコントローラ６０’から受信したカード特定通知に含まれるカードＩＤを紛失カードリストに記憶しておき、挿入された一般カード５のカードＩＤが紛失カードリストに記憶されているか否かを判定し、記憶されていると判定されたときに当該カードユニット２０’の装置ＩＤを含むカード使用通知をシステムコントローラ６０’に対して送信するので、カードＩＤの特定時にカードユニット２０’で該カードＩＤの一般カード５が使用されていない場合でも、その後に使用が開始されるときに該カードが使用されるカードユニット２０’を把握して、紛失カードを回収することができる。
【０２１１】
次に図２０を用いて、精算処理における精算装置８０’とシステムコントローラ６０’の作用について説明する。精算装置８０’において、一般カード５が挿入されて受け付けられると（Ｓ５００）、カードから記録情報（カードＩＤ，カード残額）を読み取る（Ｓ５０１）。次いで、読み取られたカードＩＤが、紛失カードリストに記憶されているか否かの判定を実施する（Ｓ５０２ａ’）。該Ｓ５０２ａ’で記憶されていないと判定されたときには（Ｎ）、該読み取ったカードＩＤ，カード残額を含む精算許諾要求をシステムコントローラ６０’に送信する（Ｓ５０２）。そして、精算許諾要求を受信したシステムコントローラ６０’においては、受信したカード残額が、同受信したカードＩＤに対応付けて残額ＤＢに記憶している管理残額以下であるか否か（受信したカード残額≦受信したカードＩＤに対応付けて残額ＤＢに記憶している管理残額？）の照合を実施する（Ｓ５２０）。このＳ５２０の照合が照合ＯＫ（即ち、受信したカード残額≦受信したカードＩＤに対応付けて残額ＤＢに記憶している管理残額）であるときには、前述したように、使用履歴ＤＢに、精算開始時刻，カードＩＤ，精算開始情報，管理残額を記憶して（Ｓ５３１）、該照合ＯＫの旨を示す精算許諾情報を前記Ｓ５０２で送信されてきた装置ＩＤの精算装置８０に対して送信する（Ｓ５３２）。
【０２１２】
Ｓ５３２の精算許諾情報を受信した精算装置８０においては、前記読み取ったカード残額に相当する金額の貨幣を紙幣払出機８５及び／又は硬貨払出機８６から払い出して遊技者に返却する（Ｓ５３３）。次いで、一般カード５からカード残額を消去して、一般カード回収部８３ｂの内部に回収する（Ｓ５３４）。Ｓ５３４の処理が終了すると、精算装置８０からシステムコントローラ６０に対してカードＩＤを含む精算完了通知が送信され（Ｓ５３５）、これを受信したシステムコントローラ６０では、受信したカードＩＤに対応付けて記録されている管理残額を消去する（Ｓ５４０）。さらに、前述したように、使用履歴ＤＢに、精算完了時刻，カードＩＤ，精算額，管理残額を記憶する（Ｓ５４１）。
【０２１３】
一方、Ｓ５２０で、照合ＮＧの場合（受信したカード残額＞受信したカードＩＤに対応付けて記憶されている管理残額の場合）には、精算装置８０に対して、精算不可情報を返信する（Ｓ５２１）。精算不可情報を受信した精算装置８０はカードを排出する（Ｓ５２２）。
【０２１４】
一方、前記Ｓ５０２ａ’で記憶されていると判定されたときには（Ｙ）、精算が禁止されると共に、カードが留保され（Ｓ５０３ａ’）、当該精算装置８０’の装置ＩＤを含むカード使用通知がシステムコントローラ６０’に対して送信される。（Ｓ５０４ａ’）。カード使用通知を受けたシステムコントローラ６０’においては、該カード使用通知に含まれる装置ＩＤが報知される（Ｓ５１１’）。
【０２１５】
このように、システムコントローラ６０’から受信したカード特定通知に含まれるカードＩＤを紛失カードリストに記憶しておき、挿入された一般カード５のカードＩＤが紛失カードリストに記憶されているか否かを判定し、記憶されていると判定されたときに当該精算装置８０’の装置ＩＤを含むカード使用通知をシステムコントローラ６０’に対して送信するので、カードＩＤの特定時に精算装置８０’で該カードＩＤの一般カード５が使用されていない場合でも、その後に使用が開始されるときに該カードが使用される精算装置８０’を把握して、紛失カードを回収することができる。
【０２１６】
最後に、本発明の変形例について説明する。
【０２１７】
上記の実施形態では、図３に示すように、紙幣識別機２３にて受付可能な紙幣２の種類が１０００円紙幣，２０００円紙幣，５０００円紙幣，及び１００００円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が１００円硬貨，及び５００円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０２１８】
上記の実施形態では、記録媒体（一般カード５）に、カード残額とカードＩＤが記録されている例について説明したが、これに限らず、記録媒体にはカードＩＤのみが記録され、管理装置（システムコントローラ６０，６０’）においてカードＩＤと管理残額が対応付けて管理されるようにしても良い。この場合にも、カードＩＤから有価価値の大きさである管理残額を特定可能である。つまり、記録媒体に、有価価値の大きさを特定可能な情報であり、かつ記録媒体識別情報であるカードＩＤのみを記録するようにしても良い。
【０２１９】
上記の実施形態では、遊技用装置識別情報が台番号と装置ＩＤである例について説明したが、これに限らず、遊技用装置識別情報は台番号と装置ＩＤのいずれか一方であっても良い。例えば遊技用装置識別情報が装置ＩＤであるときには、図８や図１６に示したカード検索画面で台番号ではなく、装置ＩＤを入力するようにして、遊技用装置特定手段により特定された装置ＩＤをシステムコントローラ６０，６０’のディスプレイ６４，６４’に表示するようにすると良い。
【０２２０】
上記の実施形態において、記録媒体である一般カード５に代えて、あるいは該一般カード５と共に、会員登録を行った会員遊技者に対して発行される会員カードが使用されるようにしても良い。
【０２２１】
ここで上記会員カードの発行のときに、個人情報（例えば氏名，暗証番号，生年月日，電子メールアドレス）が登録され、管理装置（又は該管理装置と通信可能な会員情報管理装置等）で、各会員カードの識別情報（各会員カードを個々に識別可能な会員カードＩＤ又は各会員遊技者を個々に識別可能な会員ＩＤ）に対応付けて個人情報が管理され、各遊技用装置（例えばカードユニット等）の遊技用装置識別情報と対応付けて当該遊技用装置で使用中の会員カードの識別情報を管理している場合には、会員カード紛失の際、以下のようにして紛失した会員カードを特定して、使用を発見するようにしても良い。
【０２２２】
まず管理装置が備える入力手段によって前記個人情報を入力して、該入力した個人情報に対応する（例えば氏名，暗証番号，生年月日，電子メールアドレスが一致する）会員カードの識別情報を特定し、当該識別情報の会員カードが使用されている遊技用装置の遊技用装置識別情報を特定して、管理装置が備えるディスプレイ等に表示する。これによれば、会員カードの紛失時にも、個人情報から該会員カードを特定して、その使用を発見し、回収することができる。
【０２２３】
なお、遊技場において前記個人情報を管理しておらず、個人情報から会員カードの識別情報を特定することができないような場合であっても、本発明を適用することによって、時刻と遊技用装置識別情報（台番号等）から会員カードの識別情報を特定して、その使用を発見し、回収することができる。
【０２２４】
上記の実施形態では、記録媒体（一般カード５）が非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状はカード型には限られず、コイン型であっても良い。
【０２２５】
上記の実施形態では、有価価値の大きさとして金額自体が管理されている例について説明したが、これに限らず、該有価価値の大きさとして、該金額が所定の比率で換算された残度数や点数等が管理されるようにしても良い。
【０２２６】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０２２７】
上記の第２実施形態では、カードユニット２０において、ユニット制御部２２’とカードＲ／Ｗ制御部２９とが別個に設けられている例について説明したが、これに限らず、両者の機能を備える１つの制御部を設けるようにしても良い。
【０２２８】
上記の実施形態では、パチンコ機１０とカードユニット２０，２０’間で玉貸処理が行われるときに、図４に示すように、ＰＲＤＹ信号，ＢＲＤＹ信号，ＢＲＱ信号，及びＥＸＳ信号等の送受によって玉貸処理が行われる例について説明したが、該玉貸処理は、例えば以下の変形例１，変形例２，又は変形例３に示す如く行われるようにしても良い。
【０２２９】
まず変形例１として、カードユニット２０，２０’は、１度数に相当するパチンコ玉数（例えば消費税を考慮しないのであれば２５個、消費税を考慮するのであれば消費税率に応じて２４個，２３個…等の、具体的な玉数であり、予めシステムコントローラ６０，６０’等により設定されてカードユニット２０，２０’に配信されている）である払出要求玉数のパチンコ玉の払出を要求する払出要求信号をパチンコ機１０の払出制御基板１２に対して送信する。
【０２３０】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号をカードユニット２０，２０’のユニット制御部２２，２２’に対して送信する。
【０２３１】
該払出結果信号を受信したカードユニット２０，２０’は、前記払出要求信号に示される払出要求玉数と、該払出結果信号に示される払出結果玉数とを照合し、照合ＯＫである場合には、１度数分の前記減算として、ユニット制御部２２，２２’のＲＡＭの表示用記憶領域に記憶されている残額からパチンコ玉の貸与に使用された１度数に相当する金額を減算すると共に、残度数表示器１４に表示された残度数から１度数を減算する。そしてカードユニット２０，２０’は、これら１度数分の玉貸を前記入金額分又は前記使用額分（即ち記憶残額≧玉貸設定金額であれば該玉貸設定金額分，また記憶残額＜玉貸設定金額であれば該記憶残額分）だけ繰り返し、該入金額分又は使用額分の玉貸の終了に基づいて、玉貸終了信号をパチンコ機１０の払出制御基板１２に対して送信し、玉貸処理を終了する。なお「使用額分の玉貸処理の終了」とは、今回の玉貸操作に基づく該使用額分の玉貸の終了を意味する。
【０２３２】
次に変形例２として、パチンコ機１０において、カードユニット２０，２０’からの１回の払出要求に応じて払い出すパチンコ玉の数（以下「単位払出数」という。）を設定変更可能に構成すると共に、カードユニット２０，２０’において、該設定された単位払出数を予め記憶可能に構成した場合には、以下のようにして貸与処理を行う。まずカードユニット２０，２０’は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号をユニット制御部２２に対して送信する。該払出結果信号を受信したカードユニット２０，２０’は、前記予め記憶している単位払出数と、該払出結果信号に示される払出結果玉数とを照合し、照合ＯＫである場合には、前記１度数分の減算処理を行い、その後、前記玉貸設定度数分の貸与処理を行う。
【０２３３】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。またカードユニット２０，２０’において予め記憶しておく単位払出数は、カード会社の管理サーバ９０や遊技場のシステムコントローラ６０，６０’で設定し、カードユニット２０，２０’に配信して記憶するようにすれば良い。そして、例えば前記単位払出数と払出結果玉数との照合ＮＧの場合に、カードユニット２０，２０’を不能動化するように構成すれば、遊技場が実際の申告よりも小さい単位払出数をパチンコ機１０において設定するような不正を防止できる。
【０２３４】
さらに変形例３として、前記単位払出数が一定（例えば２５個）である場合には、以下のようにして貸与処理を行う。まずカードユニット２０，２０’は、玉貸ボタン１５の操作をユニット制御部２２，２２’により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号をユニット制御部２２，２２’に対して送信する。該玉貸準備信号を検出したカードユニット２０，２０’は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の貸与処理の完了を示す玉貸完了信号をユニット制御部２２に対して送信する。該払出結果信号を受信したカードユニット２０，２０’は、前記１度数分の減算処理を行い、その後、前記玉貸設定度数分の貸与処理を行う。
【０２３５】
上記の実施形態では、遊技媒体を貸与するための貸与処理が、パチンコ玉を貸与する玉貸処理（カード玉貸処理）である例について説明したが、これに限らず、該貸与処理は、前記メダルを貸与するメダル貸出処理や、前記画像式のパチンコ機やスロットマシンにおいて有価価値の大きさを遊技媒体としての得点に変換して遊技に使用させる処理等でも良い。
【０２３６】
上記の実施形態では、貸与処理が行われた場合に、カードユニット２０，２０’と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、カードユニット２０，２０’に設けられた図示しない玉払出装置からパチンコ玉が払い出されて貸与されるようにしても良い。
【０２３７】
上記の実施形態では、入金又はカードの挿入が行われることに基づく使用開始情報や、カードの使用完了又はカードの排出が行われることに基づく使用終了情報が管理装置（システムコントローラ６０，６０’）に送信されて、使用履歴管理手段（使用履歴ＤＢ）が更新されることで、該使用履歴管理手段において各記録媒体の使用開始時刻と使用終了時刻が管理される例について説明したが、これに限らず、使用開始情報や使用終了情報は上記各処理に基づく情報ではなく、当該遊技用装置における記録媒体の使用開始時刻，使用終了時刻を特定するための情報であれば良く、例えば、当該遊技用装置において、記録媒体の使用中に管理装置に対して送信されている使用中信号であっても良い。例えば、この使用中信号が記録媒体の使用中の期間にＨｉｇｈとなり、使用中でない期間にＬｏｗとなるような信号であれば、該使用中信号の立ち上がりが使用開始情報に相当し、該使用中信号の立ち下がりが使用終了情報に相当する。
【０２３８】
上記の実施形態では、使用開始情報である入金要求及び貸与許諾要求に、記録媒体識別情報（カードＩＤ）が含まれる例について説明したが、これに限らず使用開始情報には記録媒体識別情報が含まれないようにしても良い。例えば、管理装置（システムコントローラ６０，６０’）で、各カードユニット２０，２０’のカードＲ／Ｗ２７に留保されているカードのカードＩＤを当該装置ＩＤと対応付けて管理しておき、入金があったときに、カードＩＤを含まない入金要求と装置ＩＤをカードユニット２０，２０’から受信することで、装置ＩＤ及びカードＩＤと対応付けて使用開始時刻（ここでは入金時刻）を管理することができる。
【０２３９】
また、カードユニット２０，２０’が、カードＩＤを含まない使用開始情報（入金要求，貸与許諾要求）を装置ＩＤと共に送信し、上記実施形態の如くカードＩＤを含む減算要求を装置ＩＤと共に送信するようにしても良い。システムコントローラ６０，６０’では、該減算要求受信前に受信した使用開始情報から特定される使用開始時刻（入金時刻，挿入時刻）が、当該受信した減算要求に含まれるカードＩＤのカードの使用開始時刻であることを特定可能である。従って、装置ＩＤ及びカードＩＤに対応付けて使用開始時刻を管理可能である。
【０２４０】
さらに、カードユニット２０，２０’が、カードＩＤを含まない使用開始情報（入金要求，貸与許諾要求）を装置ＩＤと共に送信し、カードＩＤを含む使用終了情報（使用完了通知，排出通知）を装置ＩＤと共に送信するようにしても良い。このような使用終了情報を受信したシステムコントローラ６０，６０’では、該使用終了情報受信前に受信した使用開始情報から特定される使用開始時刻（入金時刻，挿入時刻）が、当該受信した使用終了情報に含まれるカードＩＤのカードの使用開始時刻であることを特定可能である。従って、装置ＩＤ及びカードＩＤに対応付けて使用開始時刻及び使用終了時刻を管理可能である。
【０２４１】
上記の実施形態では、使用終了情報である使用完了通知及び排出通知（使用完了通知，排出通知）に、記録媒体識別情報（カードＩＤ）が含まれない例について説明したが、これに限らず、使用終了情報に記録媒体識別情報が含まれるようにしても良い。
【０２４２】
上記の実施形態では、使用開始情報である入金要求及び貸与許諾要求と共に、遊技用装置識別情報（装置ＩＤ）が送信される例について説明したが、これに限らず使用開始情報と共に遊技用装置識別情報が送信されないようにしても良い。例えば、管理装置（システムコントローラ６０，６０’）で、各カードユニット２０，２０’のカードＲ／Ｗ２７に留保されているカードのカードＩＤを当該装置ＩＤと対応付けて管理しておき、入金があったときに、装置ＩＤを伴わなずカードＩＤを含む入金要求をカードユニット２０，２０’から受信することで、カードＩＤ及び装置ＩＤと対応付けて使用開始時刻（ここでは入金時刻）を管理することができる。
【０２４３】
また、カードユニット２０，２０’が、装置ＩＤを伴わずカードＩＤを含む使用開始情報（入金要求，貸与許諾要求）を送信し、上記実施形態の如く装置ＩＤを伴う減算要求を送信するようにしても良い。システムコントローラ６０，６０’では、該減算要求受信前に受信した使用開始情報から特定される使用開始時刻（入金時刻，挿入時刻）が、当該受信した装置ＩＤのカードユニット２０，２０’で使用されたカードの使用開始時刻であることを特定可能である。従って、カードＩＤ及び装置ＩＤに対応付けて使用開始時刻を管理可能である。
【０２４４】
さらに、カードユニット２０，２０’が、装置ＩＤを伴わずカードＩＤを含む使用開始情報（入金要求，貸与許諾要求）を送信し、装置ＩＤを伴いカードＩＤを含む使用終了情報（使用完了通知，排出通知）を送信するようにしても良い。このような使用終了情報を受信したシステムコントローラ６０，６０’では、該使用終了情報受信前に受信した使用開始情報から特定される使用開始時刻（入金時刻，挿入時刻）が、当該受信した装置ＩＤのカードユニット２０，２０’で使用されたカードの使用開始時刻であることを特定可能である。従って、カードＩＤ及び装置ＩＤに対応付けて使用開始時刻及び使用終了時刻を管理可能である。
【０２４５】
このように、記録媒体識別情報（カードＩＤ）や遊技用装置識別情報（装置ＩＤ）を送信するタイミングは、使用開始情報や使用終了情報を送信するタイミングにはよらないものであり、使用履歴管理手段において、記録媒体識別情報，遊技用装置識別情報と対応付けて、使用開始時刻，使用終了時刻を管理することができるように情報の送受が行われると良く、例えば次のようにしても良い。
【０２４６】
遊技用装置（カードユニット２０，２０’）と管理装置（システムコントローラ６０，６０’）との間で行われる処理に基づいて更新される処理番号（通番）を、遊技用装置，管理装置で各々管理しておく。例えば、遊技用装置にカードが挿入されたときに、遊技用装置側の処理番号を０から１に更新し、貸与許諾要求を受信した管理装置では、管理装置側の処理番号を０から１に更新する。そして、遊技用装置で玉貸処理が行われたときに、遊技用装置側の処理番号を１から２に更新し、減算要求を受信した管理装置では、管理装置側の処理番号を１から２に更新する。そして、遊技用装置からカードが排出されたときに、遊技用装置側の処理番号を２から３に更新し、排出通知を受けた管理装置側では、管理装置側の処理番号を２から３に更新する。このようなシステムの遊技用装置おいて、使用開始情報には当該遊技用装置で使用を開始する旨と処理番号（例えば１）を含めて管理装置に送信し、使用終了情報には記録媒体識別情報（カードＩＤ）と遊技用装置識別情報（装置ＩＤ）と処理番号（例えば３）を含めて管理装置に送信し、管理装置側では各処理番号に対応付けて各処理番号の処理が行われた時刻を管理しておくことで、使用開始情報に含まれる処理番号（例えば１）に対応する時刻を使用開始時刻とし、使用終了情報に含まれる処理番号（例えば３）に対応する時刻を使用終了時刻として、使用終了時刻に含まれる記録媒体識別情報，遊技用装置識別情報に対応付けて管理することができる。なお、記録媒体識別情報，遊技用装置識別情報は、使用終了時刻に含めず、使用開始情報に含めるようにしても良い。
【０２４７】
なお、上記処理番号は、処理毎に更新されるものではなく、各遊技用装置に対して固定的に設定された装置ＩＤとは別個の整理番号でも良い。例えばある遊技用装置に整理番号１００を設定して、使用開始情報には当該遊技用装置で使用を開始する旨と整理番号（ここでは１００）を含めて管理装置に送信し、使用終了情報には記録媒体識別情報（カードＩＤ）と遊技用装置識別情報（装置ＩＤ）と整理番号（ここでは１００）を含めて管理装置に送信する。管理装置側では使用開始情報を受信した時刻と、該使用開始情報に含まれる整理番号を対応付けて管理し、使用終了情報を受信したときに、該使用終了情報に含まれる整理番号に対応付けて管理されている時刻（即ち使用開始情報の受信時刻）を特定し、該特定した時刻を使用開始時刻とし、該使用終了情報の受信時刻を使用終了時刻として、該使用終了情報に含まれる記録媒体識別情報，遊技用装置識別情報に対応付けて、管理することができる。なお、記録媒体識別情報，遊技用装置識別情報は、使用終了時刻に含めず、使用開始情報に含めるようにしても良い。
【０２４８】
上記の実施形態では、使用開始情報として、遊技用装置（カードユニット２０，２０’）から貸与許諾要求が送信され、管理装置（システムコントローラ８０，８０’）が貸与許諾要求を受信した時刻である挿入時刻を使用開始時刻とする例や、遊技用装置（カードユニット２０，２０’）から入金要求が送信され、管理装置（システムコントローラ８０，８０’）が入金要求を受信した時刻である入金時刻を使用開始時刻とする例について説明したが、これに限らず、管理装置（システムコントローラ８０，８０’）が減算要求を受信した時刻である玉貸時刻を使用開始時刻とするようにしても良い。
【０２４９】
上記の実施形態では、入力される時刻に対して付加される時間範囲が、入力された時刻に対しての前後の範囲（前後の３０分）である例について説明したが、これに限らず、時間範囲は入力される時刻前の時間（例えば前３０分）であっても良く、該時刻後（例えば後３０分）であっても良く、該入力される時刻に対して付加されるものであれば良い。また、上記の実施形態では、時間範囲を３０分としたが、これに限らず、時間範囲は任意である。
【０２５０】
上記の実施形態では、時間範囲がシステムコントローラ６０の入力装置６５によって入力される例について説明したが、これに限らず、時間範囲は予めシステムコントローラ６０等で所定値（例えば３０分）が設定されており、入力装置６５等によって変更できないようになっていても良い。
【０２５１】
上記の第１実施形態では、図５（ａ）に示す残額ＤＢと、図６（ｂ）に示す紛失カードリストが別のデータテーブルに記憶されている例について説明したが、これに限らず、残額ＤＢと紛失カードリストが１つのデータテーブルで管理されるようにしても良い。例えば、各カードＩＤに対応付けて、紛失カードフラグ（紛失カードのカードＩＤとして特定されたカードＩＤは「１」、それ以外は「０」）を記憶することで、各カードのカード残額と、紛失カードのカードＩＤを管理することができる。
【０２５２】
上記の第１実施形態では、図５（ｂ）に示す使用履歴ＤＢがハードディスク６３に記憶されると共に、図６（ａ）に示す使用カードＤＢがハードディスク６３の別のデータテーブルで記憶されている例について説明したが、これに限らず、図６（ａ）に示す使用カードＤＢは記憶されていなくても良い。図５（ｂ）の使用履歴ＤＢでは、入金，カード挿入，玉貸，使用完了，及びカード排出毎に更新されているので、現時刻の直前の使用履歴が使用完了情報，又は排出情報でなければ、該直前の使用履歴に含まれるカードＩＤのカードが現在使用中であることを特定することができる。従って、各遊技用装置で使用中の記録媒体の記録媒体識別情報を管理することができるものであり、図５（ｂ）の使用履歴ＤＢは、使用中記録媒体管理手段としても機能する。
【０２５３】
上記の実施形態では、図５（ｂ）に示す使用履歴管理手段である使用履歴ＤＢが、使用開始時刻（入金時刻，挿入時刻）と、使用終了時刻（使用完了時刻，排出時刻）の他に、玉貸時刻を管理している例について説明したが、これに限らず、使用履歴管理手段は、使用開始時刻と使用終了時刻以外の時刻は管理しないようにしても良い。
【０２５４】
上記の実施形態では、使用開始時判定手段（制御部６２）が、入金要求が管理装置（システムコントローラ６０）に送信されてきたときに、該入金要求に含まれる記録媒体識別情報（カードＩＤ）が記録媒体識別情報記憶手段（紛失カードリスト）に記憶されているか否かを判定しない例について説明したが、これに限らず、入金要求が管理装置（システムコントローラ６０）に送信されてきたときにも、該入金要求に含まれる記録媒体識別情報（カードＩＤ）が記録媒体識別情報記憶手段（紛失カードリスト）に記憶されているか否かを判定するようにしても良い。
【０２５５】
上記の実施形態では、入力手段（ディスプレイ６４，６４’，ディスプレイ６４，６４’）により入力する遊技用装置識別情報（台番号）が、１つである例について説明したが、これに限らず、複数の遊技用装置識別情報を入力するようにしても良い。例えば、台番号１〜３というように、遊技用装置の範囲を決めて入力し、各遊技用装置識別情報について、記録媒体識別情報特定手段により記録媒体識別情報（カードＩＤ）の特定を行うようにしても良い。そして、上記実施形態の図９，図１７の如く、特定された全ての記録媒体識別情報を、その使用履歴と共にディスプレイ６４，６４’に表示して、選択された記録媒体識別情報の記録媒体が使用中であるか否かを判定し、使用中でなければ紛失カードリストに登録するようにしても良い。
【０２５６】
上記の実施形態では、特定された記録媒体識別情報（カードＩＤ）の記録媒体（一般カード５）の使用を禁止するための処理が、カードユニット２０への使用禁止通知の送信，紛失カードリストへのカードＩＤの登録，又はカードユニット２０’や精算装置８０’に対しての、カード特定通知の送信である例について説明したが、これに限らず、遊技場の店員が管理装置を操作することにより、、特定されたカードＩＤのカードの使用を禁止するための設定を行うようにしても良い。例えば、システムコントローラ６０，６０’のディスプレイ６４，６４’に、各カードＩＤを表示すると共に、当該カードＩＤのカードを使用不可とするためのチェックボックスを設けておき、該チェックボックスがチェックされたことに基づいて、当該カードＩＤの一般カード５の使用が禁止されるようにしても良い。例えばカードユニット２０，２０’からシステムコントローラ６０，６０’に対して使用許諾要求を送信したときに、システムコントローラ６０，６０’において該使用許諾要求に含まれるカードＩＤについて、前記チェックボックスがチェックされている事に基づいて、貸与許諾情報を返信しないようにしても良い。同様に、精算装置８０，８０’からシステムコントローラ６０，６０’に対して精算許諾要求を送信したときに、システムコントローラ６０，６０’において該精算許諾要求に含まれるカードＩＤについて、前記チェックボックスがチェックされている事に基づいて、精算許諾情報を返信しないようにしても良い。このようにして使用が禁止されたカードは、前記チェックボックスのチェックを外すことで、使用が再開されるようにすると良い。
【０２５７】
上記の第１実施形態では、システムコントローラ６０で記録媒体識別情報特定手段（制御部６２）によるカードＩＤの特定を行った後、特定したカードＩＤの一般カード５が使用中ではないときに、該カードＩＤを紛失カードリストに記憶しておき、カードユニット２０から貸与許諾要求を受信したとき，又は精算装置８０から精算許諾要求を受信したときに、該貸与許諾要求又は精算許諾要求に含まれるカードＩＤが、紛失カードリストに記憶されているか否かを判定し、記憶されているときには該カードＩＤの一般カード５の使用を禁止する（貸与許諾情報又は精算許諾情報を送信しない）例について説明したが、これに限らず、記録媒体識別情報特定手段により特定したカードＩＤの一般カード５が使用中ではないときに、該カードＩＤを各装置（カードユニット２０，精算装置８０）に送信し、各装置は受信したカードＩＤを所定記憶領域（例えば当該装置の紛失カードリスト）に記憶しておき、その後新たに挿入された一般カード５のカードＩＤが前記所定記憶領域に記憶されているときに、貸与許諾要求又は精算許諾要求を送信しないようにしても良い。
【０２５８】
上記の第２実施形態では、システムコントローラ６０’で記録媒体識別情報特定手段（制御部６２’）によるカードＩＤの特定を行った後、特定したカードＩＤを含むカード特定通知が各装置（カードユニット２０’，精算装置８０’）に送信され、該カード特定通知を受けた装置（カードユニット２０’，精算装置８０’）で、該カード特定通知に含まれるカードＩＤの一般カード５が使用中であるときに該カードの使用を禁止（即ちカードユニット２０’であれば玉貸禁止（及び返却操作の無効化），精算装置８０’であれば精算禁止）し、使用中でなければ紛失カードリストに登録し、その後新たに挿入されたカードのカードＩＤが紛失カードリストに記憶されているときには貸与許諾要求又は精算許諾要求を送信しない例について説明したが、これに限らず、特定したカードＩＤを含むカード特定通知が各装置（カードユニット２０’，精算装置８０’）に送信され、該カード特定通知を受けた装置（カードユニット２０’，精算装置８０’）で、当該カード特定通知に含まれるカードＩＤのカードが使用中であるときに該カードの使用を禁止（即ちカードユニット２０’であれば玉貸禁止（及び返却操作の無効化），精算装置８０’であれば精算禁止）し、使用中ではなければ、システムコントローラ６０’で、該カードＩＤを所定記憶領域（例えばシステムコントローラ６０’側の紛失カードリスト）に記憶しておき、その後カードユニット２０’から貸与許諾要求を受信したとき，又は精算装置８０’から精算許諾要求を受信したときに、該貸与許諾要求又は精算許諾要求に含まれるカードＩＤが、紛失カードリストに記憶されているか否かを判定し、記憶されているときには該カードＩＤの一般カード５の使用を禁止する（貸与許諾情報又は精算許諾情報を送信しない）ようにしても良い。ここで各装置は、カード特定通知に含まれるカードＩＤのカードが使用中のときに、当該装置の装置ＩＤを含むカード使用通知をシステムコントローラ８０’に送信しておくようにすることで、システムコントローラ８０’では、カード特定通知送信後にカード使用通知を受信しなかったことで、特定したカードＩＤのカードがいずれの装置でも使用されていないことを認識するようにすると良い。また、システムコントローラ６０’で、記録媒体識別情報特定手段（制御部６２’）によるカードＩＤの特定を行った後、使用履歴ＤＢを参照して該カードＩＤのカードが使用中である（各装置ＩＤのテーブルの最新の履歴を参照して、該特定したカードＩＤが含まれており、かつ該最新の履歴に使用完了情報，排出情報，又は精算完了情報のいずれも含まれていない場合に、当該装置ＩＤの装置で、特定されたカードＩＤのカードが使用中であると特定される）装置に対して使用を禁止する旨の使用禁止通知を送信するようにしても良い。該使用禁止通知を受けた装置（カードユニット２０’，精算装置８０’）では、受け付けているカードの使用を禁止（即ちカードユニット２０’であれば玉貸禁止（及び返却操作の無効化），精算装置８０’であれば精算禁止）する。
【０２５９】
上記の実施形態で、以下のような構成及び処理を加えてもよい。
【０２６０】
まず、遊技場内の所定の位置に監視カメラを設置する。この監視カメラは、通常は予め定められた所定の撮像角度や撮像倍率で撮像している。例えばパチンコ機１０の列毎（又は島毎でも良い）に設けられる監視カメラは、通常は対応する列全体（又は島全体）を監視するのに適した撮像角度と撮像倍率で撮像している。また遊技場の端に設けられる監視カメラは、通常は複数有る遊技島の端部周辺を監視するのに適した撮像角度と撮像倍率で撮像している。
【０２６１】
そしてこれらの監視カメラは、監視カメラ制御装置から受信する制御信号に基づいて撮像角度や撮像倍率を変更する。例えば、パチンコ機１０の列毎（島毎）に設けられる監視カメラは、制御信号に応じて特定のカードユニット２０，２０’周辺を監視するのに適した撮像角度と撮像倍率で撮像する（例えば、特定のカードユニット２０，２０’が画面の中央に位置する角度で、通常倍率よりも高い倍率で拡大して撮像する）。また遊技場の端に設けられる監視カメラは、制御信号に応じて精算装置８０，８０’周辺を監視するのに適した撮像角度と撮像倍率で撮像する（例えば、精算装置８０，８０’が画面の中央に位置する角度で、通常倍率よりも高い倍率で拡大して撮像する）。この監視カメラによって撮像された映像データは、監視カメラ制御装置に送られ、各監視カメラの撮像対象となるカードユニット２０，２０’，精算装置８０，８０’の装置ＩＤに対応付けて、所定時間（例えば１時間）毎に分割されて管理される。
【０２６２】
監視カメラ制御装置は、ハードディスク，制御部，通信部等を備えている。記憶装置であるハードディスクは監視カメラから入力される映像データを記憶するものである。制御部は、管理装置（システムコントローラ６０，６０’）から監視指示情報を受信したことに基づいて、該監視指示情報に含まれる装置ＩＤの遊技用装置周辺を撮像する監視カメラを特定すると共に、該遊技用装置周辺を撮像するのに適した撮像角度や撮像倍率を特定する。通信部は通信回線を介して監視カメラの通信部と通信可能に接続され、監視カメラからの映像信号が入力される。また、制御部により特定した撮像角度や撮像倍率等を含む制御信号を、特定した監視カメラに対して送信するものである。
【０２６３】
上記実施形態の管理装置（システムコントローラ６０，６０’）は、監視カメラ制御装置と通信可能であり、監視カメラから監視カメラ制御装置に入力される映像データをディスプレイ６４，６４’に表示する（即ちリアルタイムの映像を表示する）ことが可能であると共に、ハードディスクのデータを取得して、映像データを再生する（即ち過去の映像を表示する）ことも可能である。このとき、映像データは所定時間毎に分割して管理されているため、管理装置において所望の時刻を指定して、該時刻を含む映像データを取得することも可能である。
【０２６４】
従って、上記の第１実施形態の管理装置（システムコントローラ６０）は、遊技用装置特定手段（制御部６２）により特定された装置ＩＤを含む監視指示情報を監視カメラ制御装置に送ることで、紛失カードが使用されているカードユニット２０や、精算装置８０周辺の映像を見ることが可能である。これによって、他者のカードを拾得して、使用している人物を特定することができる。また、上記の第２実施形態の管理装置（システムコントローラ６０’）は、カードユニット２０’や精算装置８０’から送信されてくるカード使用通知を受信したことに基づいて、該カード使用通知に含まれる装置ＩＤを含む監視指示情報を監視カメラ制御装置に送ることで、紛失カードが使用されているカードユニット２０’や、精算装置８０’周辺の映像を見ることが可能である。これによって、他者のカードを拾得して、使用している人物を特定することができる。
【０２６５】
さらに上記の実施形態における管理装置（システムコントローラ８０，８０’）は、使用履歴ＤＢを参照し、カード検索画面に入力された時刻（又は時間範囲）の後の使用履歴のうち、記録媒体識別情報特定手段（制御部６２，６２’）により特定されたカードＩＤを含む使用履歴を特定して、該使用履歴に対応する装置ＩＤ，及び使用開始時刻（又は使用終了時刻）を特定する。そして、該特定した装置ＩＤについて前記監視カメラ制御装置に記憶されている前記映像データのうち、該使用開始時刻（又は使用終了時刻）を含む時間帯の映像データを取得して、管理装置で再生してディスプレイ６４，６４’に表示することで、他者のカードを拾得して使用した人物を特定することができる。
【図面の簡単な説明】
【０２６６】
【図１】図１は本発明に係る遊技用システムの一例を表す接続図である。
【図２】図２は本発明に係る遊技用システムの一例を表す機能ブロック図である。
【図３】図３（ａ）はカードユニット及びパチンコ機の正面図であり、図３（ｂ）はカードユニットの断面右側面図である。
【図４】図４は玉貸処理に際してカードユニットとパチンコ機の間で送受される信号の一例を表す図である。
【図５】図５（ａ）はシステムコントローラのハードディスクが記憶している残額ＤＢの記憶内容の一例を表す図であり、図５（ｂ）は同ハードディスクが記憶している使用履歴ＤＢの記憶内容の一例を表す図である。
【図６】図６（ａ）は第１実施形態におけるシステムコントローラのハードディスクが記憶している使用カードＤＢの記憶内容の一例を表す図であり、図５（ｂ）は第１実施形態におけるシステムコントローラのハードディスク又は第２実施形態におけるカードユニットのユニット制御部が記憶している紛失カードリストの記憶内容の一例を表す図である。
【図７】図７（ａ）は精算装置の斜視図であり、図７（ｂ）は精算装置に設けられたディスプレイの表示内容の一例を表す図である。
【図８】図８は第１実施形態に係るシステムコントローラに表示されるカード検索画面に時刻と台番号が入力されたときの処理の一例を表す図である。
【図９】図９は図８の続きである。
【図１０】図１０は第１実施形態に係るシステムコントローラに表示されるカード使用再開画面にカードＩＤが入力されたときの処理の一例を表す図である。
【図１１】図１１は第１実施形態に係るカードユニットで貨幣を受け付けた場合における処理の一例を表す図である。
【図１２】図１２は第１実施形態に係るカードユニットに一般カードが挿入された場合における処理の一例を表す図である。
【図１３】図１３は第１実施形態に係るカードユニットで玉貸ボタンが操作された場合における処理の一例を表す図である。
【図１４】図１４は第１実施形態に係るカードユニットでカード返却ボタンが操作された場合における処理の一例を表す図である。
【図１５】図１５は第１実施形態に係る精算装置とシステムコントローラにおける精算処理の一例を表す図である。
【図１６】図１６は第２実施形態に係るシステムコントローラに表示されるカード検索画面に時刻と台番号が入力されたときの処理の一例を表す図である。
【図１７】図１７は第２実施形態に係るシステムコントローラに表示されるカード使用再開画面にカードＩＤが入力されたときの処理の一例を表す図である。
【図１８】図１８は図１７の続きである。
【図１９】図１９は第２実施形態に係るカードユニットに一般カードが挿入された場合における処理の一例を表す図である。
【図２０】図２０は第２実施形態に係る精算装置とシステムコントローラにおける精算処理の一例を表す図である。
【符号の説明】
【０２６７】
１…遊技用システム
５…一般カード
２０…カードユニット
２２…ユニット制御部
２９ａ…システムコントローラ用通信部
６０…システムコントローラ
６１ａ…ユニット用通信部
６２…制御部
６３…ハードディスク
６４…ディスプレイ
６５…入力装置
【図１】
2006296852.tif 000003
【図２】
2006296852.tif 000004
【図３】
2006296852.tif 000005
【図４】
2006296852.tif 000006
【図５】
2006296852.tif 000007
【図６】
2006296852.tif 000008
【図７】
2006296852.tif 000009
【図８】
2006296852.tif 000010
【図９】
2006296852.tif 000011
【図１０】
2006296852.tif 000012
【図１１】
2006296852.tif 000013
【図１２】
2006296852.tif 000014
【図１３】
2006296852.tif 000015
【図１４】
2006296852.tif 000016
【図１５】
2006296852.tif 000017
【図１６】
2006296852.tif 000018
【図１７】
2006296852.tif 000019
【図１８】
2006296852.tif 000020
【図１９】
2006296852.tif 000021
【図２０】
2006296852.tif 000022